(57)【要約】ワイヤレス緊急アラート（ＷＥＡ）を移動体デバイスに効率的に提供するための技術をここで説明する。技術は、基地局に対するセル内のワイヤレスネットワーク中で基地局から警告メッセージをブロードキャストすることと、内部セルまたは外部セル表示および外部セルに対する地理的エリア（５０２、５０４）記述とを含めることとを含む。次いで、受信する移動体デバイスは、内部セル（５０６、５０８、５１０）が示されたときに、または、移動体デバイスが外部セル（５１２、５１４）について地理的エリア（５０２、５０４）内（５１４Ｂ）に位置付けられていることを検証した後に、どちらも無条件に、警告メッセージをユーザに表示することができる。ワイヤレスネットワークは、内部セル（５０６、５０８、５１０）が完全に地理的エリア（５０２、５０４）内にあり、外部セル（５１２、５１４）が部分的に地理的エリア（５０２、５０４）内にあると決定することによって、内部セル対外部セルステータスを決定してもよい。【選択図】図５
2021513778.tif 000002
【特許請求の範囲】
【請求項１】
移動体デバイスにおいて、警告メッセージを提供するための方法であって、
ワイヤレスネットワーク中の基地局からブロードキャストされた警告メッセージを受信することと、前記警告メッセージは、メッセージ識別子と内部または外部セル表示とを含み、
前記内部セル表示の検出に基づいて、前記警告メッセージのコンテンツをユーザに提供することを含む、方法。
【請求項２】
前記内部セル表示は、前記移動体デバイスのロケーション検証が必要とされないセルの表示を含み、
前記外部セル表示は、前記移動体デバイスのロケーション検証が必要とされるセルの表示を含む、請求項1に記載の方法。
【請求項３】
前記警告メッセージは、地理的エリアの定義を含む、請求項１に記載の方法。
【請求項４】
前記地理的エリアは、多角形、円、または、楕円である、請求項３に記載の方法。
【請求項５】
前記警告メッセージ中の前記外部セル表示を検出することと、
前記外部セル表示を検出することに基づいて、前記移動体デバイスに対するロケーション推定を決定することと、
前記ロケーション推定に基づいて、前記移動体デバイスが前記地理的エリア内にあるか、前記地理的エリア外にあるかを決定することとをさらに含む、請求項３記載の方法。
【請求項６】
前記移動体デバイスが前記地理的エリア内にあると決定することと、
前記移動体デバイスが前記地理的エリア内にあると決定することに基づいて、前記警告メッセージのコンテンツを前記ユーザに提供することとをさらに含む、請求項５に記載の方法。
【請求項７】
前記警告メッセージは、前記移動体デバイスが前記地理的エリア内にあるか前記地理的エリア外にあるかを決定することができないとき、前記移動体デバイスが前記警告メッセージを前記ユーザに提供すべきであるか、または、すべきでないかに関する表示をさらに含み、
前記移動体デバイスが前記地理的エリア内にあるかもしれない、または、ないかもしれないと決定することと、
前記移動体デバイスが前記警告メッセージを提供すべきであると前記表示が示すとき、前記警告メッセージのコンテンツを前記ユーザに提供することと、
前記移動体デバイスが前記警告メッセージを提供すべきでないと前記表示が示すとき、前記警告メッセージのコンテンツを前記ユーザに提供しないこととをさらに含む、請求項５に記載の方法。
【請求項８】
前記移動体デバイスが前記地理的エリア内にあると決定することは、
前記ロケーション推定が前記地理的エリア内にあると決定すること、
前記ロケーション推定が前記地理的エリア外のしきい値距離内にあると決定すること、あるいは、
前記ロケーション推定が前記地理的エリア内にあるか、または、前記地理的エリアの外のしきい値距離内にあるかのいずれかであると決定すること、のうちの少なくとも１つを含む、請求項５に記載の方法。
【請求項９】
前記警告メッセージは、前記しきい値距離を含む、請求項８に記載の方法。
【請求項１０】
前記ロケーション推定はエラーコンポーネントを含み、
前記移動体デバイスが前記地理的エリア内にあると決定することは、前記移動体デバイスがしきい値信頼度で前記地理的エリア内にあると決定することを含む、請求項８に記載の方法。
【請求項１１】
前記移動体デバイスが前記地理的エリアの外にあると決定することと、
前記移動体デバイスのための新たなロケーション推定を周期的に再取得することと、
前記新たなロケーション推定に基づいて、前記移動体デバイスが前記地理的エリア内に移動したか否かを決定することとをさらに含む、請求項５に記載の方法。
【請求項１２】
前記移動体デバイスが前記地理的エリア内に移動したと決定することと、
前記移動体デバイスが前記地理的エリア内に移動したと決定することに基づいて、前記警告メッセージのコンテンツを前記ユーザに提供することとをさらに含む、請求項１１に記載の方法。
【請求項１３】
前記新たなロケーション推定を周期的に再取得することは、トリガイベントの発生に続いて前記新たなロケーション推定を再取得することを含み、
前記トリガイベントは、
周期的間隔の満了、
前記移動体デバイスに対する前のロケーションからのしきい値距離を越える前記移動体デバイスの移動の決定、
前記警告メッセージの新たなブロードキャストを受信すること、または、
前記移動体デバイスに対する前のロケーション推定を取得することに続いてしきい値時間間隔の満了後に前記警告メッセージの新たなブロードキャストを受信すること、のうちの少なくとも１つを含む、請求項１１に記載の方法。
【請求項１４】
最大期間の満了、前記警告メッセージのブロードキャストの受信の中止、あるいは、セル変更または新たなセルへのハンドオーバの実行、のうちの少なくとも１つに続いて、前記新たなロケーション推定を再取得することを中止することをさらに含む、請求項１１に記載の方法。
【請求項１５】
前記外部セル表示は、前記警告メッセージ中に前記地理的エリアの定義を含めることを含み、前記内部セル表示は、前記警告メッセージにおいて前記地理的エリアの前記定義を除外することを含む、請求項３に記載の方法。
【請求項１６】
前記メッセージ識別子は、前記内部または外部セル表示を含む、請求項１に記載の方法。
【請求項１７】
前記基地局は、進化型ノードＢ（ｅＮＢ）、次世代ｅＮＢ（ｎｇ−ｅＮＢ）、または、新たな無線ノードＢ（ｇＮＢ）である、請求項１に記載の方法。
【請求項１８】
前記警告メッセージが重複しないと検証することをさらに含む、請求項１に記載の方法。
【請求項１９】
前記ユーザが前記警告メッセージを受信することをオプトアウトしたか否かを決定することと、
前記ユーザが前記警告メッセージを受信することをオプトアウトしていないと決定すると、前記内部セル表示の検出に基づいて、前記警告メッセージのコンテンツを前記ユーザに提供することとをさらに含む、請求項１に記載の方法。
【請求項２０】
警告メッセージを受信し、表示するデバイスであって、
ワイヤレスネットワーク中の基地局からブロードキャストされた警告メッセージを受信するように構成されているワイヤレストランシーバと、
前記ワイヤレストランシーバに動作可能に結合されている少なくとも１つのプロセッサとを備え、
前記少なくとも１つのプロセッサは、
前記警告メッセージに基づいて、メッセージ識別子と内部または外部セル表示を決定し、
前記内部セル表示の検出に基づいて、前記警告メッセージのコンテンツをユーザに提供するように構成されている、デバイス。
【請求項２１】
前記内部セル表示は、移動体デバイスのロケーション検証が必要とされないセルの表示を含み、
前記外部セル表示は、前記移動体デバイスのロケーション検証が必要とされるセルの表示を含む、請求項２０に記載のデバイス。
【請求項２２】
前記警告メッセージは、地理的エリアの定義を含み、前記少なくとも１つのプロセッサは、前記警告メッセージに基づいて、前記地理的エリアを決定するように構成されている、請求項２０に記載のデバイス。
【請求項２３】
前記地理的エリアは、多角形、円、または、楕円である、請求項２２に記載のデバイス。
【請求項２４】
前記少なくとも１つのプロセッサは、
前記警告メッセージに基づいて、前記外部セル表示を決定し、
前記外部セル表示を検出することに基づいて、前記デバイスに対するロケーション推定を決定し、
前記ロケーション推定に基づいて、前記デバイスが前記地理的エリア内にあるか、前記地理的エリア外にあるかを決定するようにさらに構成されている、請求項２２に記載のデバイス。
【請求項２５】
前記少なくとも１つのプロセッサは、
前記デバイスが前記地理的エリア内にあると決定し、
前記デバイスが前記地理的エリア内にあると決定することに基づいて、前記警告メッセージのコンテンツを前記ユーザに提供するようにさらに構成されている、請求項２４に記載のデバイス。
【請求項２６】
前記少なくとも１つのプロセッサは、
前記警告メッセージ中の表示に基づいて、前記デバイスが前記地理的エリア内にあるか前記地理的エリア外にあるかを決定することができないとき、前記デバイスが前記警告メッセージを前記ユーザに提供すべきである、または、すべきでないと決定し、
前記デバイスが前記地理的エリア内にあるかもしれない、または、ないかもしれないと決定し、
前記デバイスが前記警告メッセージを提供すべきであると前記表示が示すとき、前記警告メッセージのコンテンツを前記ユーザに提供し、
前記デバイスが前記警告メッセージを提供すべきでないと前記表示が示すとき、前記警告メッセージのコンテンツを前記ユーザに提供しないようにさらに構成されている、請求項２４に記載のデバイス。
【請求項２７】
前記少なくとも１つのプロセッサは、
前記ロケーション推定が前記地理的エリア内にあると決定すること、
前記ロケーション推定が前記地理的エリア外のしきい値距離内にあると決定すること、あるいは、
前記ロケーション推定が前記地理的エリア内にあるか、または前記地理的エリア外のしきい値距離内にあるかのいずれかであると決定すること、のうちの少なくとも１つによって、前記デバイスが前記地理的エリア内にあると決定するように構成されている、請求項２４に記載のデバイス。
【請求項２８】
前記少なくとも１つのプロセッサは、前記警告メッセージに基づいて、前記しきい値距離を決定するように構成されている、請求項２７に記載のデバイス。
【請求項２９】
前記少なくとも１つのプロセッサは、
前記ユーザが前記警告メッセージを受信することをオプトアウトしたか否かを決定し、
前記ユーザが前記警告メッセージを受信することをオプトアウトしていないと決定すると、前記内部セル表示の検出に基づいて、前記警告メッセージのコンテンツを前記ユーザに提供するようにさらに構成されている、請求項２０に記載のデバイス。
【請求項３０】
警告メッセージを提供する装置であって、
ワイヤレスネットワーク中の基地局からブロードキャストされた警告メッセージを受信する手段と、前記警告メッセージは、メッセージ識別子と内部または外部セル表示とを含み、
前記内部セル表示の検出に基づいて、前記警告メッセージのコンテンツをユーザに提供する手段とを備える、装置。
【発明の詳細な説明】
【分野】
【０００１】
[0001]本開示は概して、通信システムに関し、より詳細には、ワイヤレス緊急アラート（ＷＥＡ）システムのサポートに関する。
【背景】
【０００２】
[0002]ワイヤレス通信システムは、電話、ビデオ、データ、メッセージング、およびブロードキャストのようなさまざまな電気通信サービスを提供するために広く配備されている。典型的なワイヤレス通信システムは、利用可能なシステムリソース（例えば、帯域幅、送信電力）を共有することによって、複数のユーザとの通信をサポートすることができる多元接続テクノロジーを用いることができる。これらの多元接続テクノロジーは、異なるワイヤレスデバイスが地方自治体、国、領域、さらには世界レベルで通信することを可能にする共通のプロトコルを提供するように、さまざまな電気通信標準規格において採用されている。これらのプロトコルの採用は、ワイヤレス緊急アラート（ＷＥＡ）システムを含む広範囲のサービスを可能にする。ＷＥＡシステムは、典型的には、１つ以上のワイヤレスネットワークから、これらのワイヤレスネットワークに現在アクセスしているすべてのワイヤレスデバイスに、公的警告またはアラートメッセージをブロードキャストすることを可能にする。警告またはアラートメッセージは、地震、山火事、洪水、ハリケーン、竜巻、化学物質流出、軍事攻撃等のような自然および人工の両方のさまざまな脅威および危険の切迫または発生を示すことができ、市民が自分自身を、彼らの財産を、および、その他を保護するために取ることができる、または、取るべきである行為を示すことができる。しかしながら、不必要なパニックおよび混乱を低減または回避し、影響を受けるエリア中のユーザが警告およびアラートメッセージを確実に深刻に扱うようにするために、影響を受けるエリア中のユーザのみに警告およびアラートメッセージを配信し、他の場所のユーザには配信しないことが必要であるかもしれない。したがって、警告メッセージおよびアラートメッセージが確実に、効率的に、迅速に、影響を受けるエリア中のユーザに配信され、他の場所のユーザには配信されないことを保証する方法および技術が望ましいかもしれない。
【概要】
【０００３】
[0003]移動体デバイスにおいて、本開示にしたがう警告メッセージを提供するための例示的な方法は、ワイヤレスネットワーク中の基地局からブロードキャストされた警告メッセージを受信することと、警告メッセージは、メッセージ識別子と内部または外部セル表示とを含み、内部セル表示の検出に基づいて、警告メッセージのコンテンツをユーザに提供することを含む。
【０００４】
[0004]このような方法のインプリメンテーションは、以下の特徴のうちの１つ以上を含んでいてもよい。内部セル表示は、移動体デバイスのロケーション検証が必要とされないセルの表示を含んでいてもよく、外部セル表示は、移動体デバイスのロケーション検証が必要とされるセルの表示を含んでいてもよい。警告メッセージは、地理的エリアの定義を含んでいてもよい。地理的エリアは、多角形、円、楕円、または他の形状であってもよい。方法は、警告メッセージ中の外部セル表示を検出することと、外部セル表示を検出することに基づいて、移動体デバイスに対するロケーション推定を決定することと、ロケーション推定に基づいて、移動体デバイスが地理的エリア内にあるか、地理的エリア外にあるかを決定することとをさらに含んでいてもよい。方法は、移動体デバイスが地理的エリア内にあると決定することと、移動体デバイスが地理的エリア内にあると決定することに基づいて、警告メッセージのコンテンツをユーザに提供することとをさらに含んでいてもよい。警告メッセージは、移動体デバイスが地理的エリア内にあるか地理的エリア外にあるかを決定することができないとき、移動体デバイスが警告メッセージをユーザに提供すべきであるか、または、すべきでないかに関する表示をさらに含んでいてもよく、移動体デバイスが地理的エリア内にあるかもしれない、または、ないかもしれないと決定することと、移動体デバイスが警告メッセージを提供すべきであると表示が示すとき、警告メッセージのコンテンツをユーザに提供することと、移動体デバイスが警告メッセージを提供すべきでないと表示が示すとき、警告メッセージのコンテンツをユーザに提供しないこととをさらに含んでいてもよい。移動体デバイスが地理的エリア内にあると決定することは、ロケーション推定が地理的エリア内にあると決定すること、ロケーション推定が地理的エリア外のしきい値距離内にあると決定すること、あるいは、ロケーション推定が地理的エリア内にあるか、または、地理的エリア外のしきい値距離内にあると決定することのうちの少なくとも１つを含んでいてもよい。警告メッセージは、しきい値距離を含んでもよい。ロケーション推定は、エラーコンポーネントを含んでいてもよく、移動体デバイスが地理的エリア内にあると決定することは、移動体デバイスがしきい値信頼度で地理的エリア内にあると決定することを含む。方法は、移動体デバイスが地理的エリア外にあると決定することと、移動体デバイスの新たなロケーション推定を周期的に再取得することと、新たなロケーション推定に基づいて、移動体デバイスが地理的エリア内に移動したか否かを決定することとをさらに含んでいてもよい。方法は、移動体デバイスが地理的エリア内に移動したと決定することと、移動体デバイスが地理的エリア内に移動したと決定することに基づいて、警告メッセージのコンテンツをユーザに提供することとをさらに含んでいてもよい。新たなロケーション推定を周期的に再取得することは、トリガイベントの発生に続いて新たなロケーション推定を再取得することを含んでいてもよく、トリガイベントは、周期的間隔の満了、移動体デバイスに対する前のロケーションからのしきい値距離を越える移動体デバイスの移動の決定、警告メッセージの新たなブロードキャストを受信すること、または、移動体デバイスに対する前のロケーション推定を取得することに続いてしきい値時間間隔の満了後に警告メッセージの新たなブロードキャストを受信すること、のうちの少なくとも１つを含んでいてもよい。方法はまた、最大期間の満了、警告メッセージのブロードキャストの受信の中止、あるいは、セル変更または新たなセルへのハンドオーバーの実行、のうちの少なくとも１つに続いて、新たなロケーション推定を再取得することを中止することを含んでいてもよい。外部セル表示は、警告メッセージ中に地理的エリアの定義を含んでいてもよく、内部セル表示は、警告メッセージにおいて地理的エリアの定義を除外することを含んでいてもよい。メッセージ識別子は、内部または外部セル表示を含んでいてもよい。基地局は、進化型ノードＢ（ｅＮＢ）、次世代ｅＮＢ（ｎｇ−ｅＮＢ）、または、新たな無線ノードＢ（ｇＮＢ）であってもよい。方法は、警告メッセージが重複しないと検証することと、ユーザが警告メッセージを受信することをオプトアウトしたか否かを決定することと、ユーザが警告メッセージを受信することをオプトアウトしていないと決定すると、内部セル表示の検出に基づいて、警告メッセージのコンテンツをユーザに提供することとを含んでいてもよい。
【０００５】
[0005]本開示にしたがう、警告メッセージを受信し、表示するデバイスの１つの例は、ワイヤレスネットワーク中の基地局からブロードキャストされた警告メッセージを受信するように構成されているワイヤレストランシーバと、ワイヤレストランシーバに動作可能に結合されている少なくとも１つのプロセッサとを含み、少なくとも１つのプロセッサは、警告メッセージに基づいて、メッセージ識別子と内部または外部セル表示を決定し、内部セル表示の検出に基づいて、警告メッセージのコンテンツをユーザに提供するように構成されている。
【０００６】
[0006]このようなデバイスのインプリメンテーションは、以下の特徴のうちの１つ以上を含んでいてもよい。内部セル表示は、移動体デバイスのロケーション検証が必要とされないセルの表示を含んでいてもよく、外部セル表示は、移動体デバイスのロケーション検証が必要とされるセルの表示を含んでいてもよい。警告メッセージは、地理的エリアの定義を含んでいてもよく、少なくとも１つのプロセッサは、警告メッセージに基づいて、地理的エリアを決定するように構成されてもよい。地理的エリアは、多角形、円、楕円、または他の形状であってもよい。少なくとも１つのプロセッサは、警告メッセージに基づいて、外部セル表示を決定し、外部セル表示を検出することに基づいて、デバイスに対するロケーション推定を決定し、ロケーション推定に基づいて、デバイスが地理的エリア内にあるか、地理的エリア外にあるかを決定するようにさらに構成されてもよい。少なくとも１つのプロセッサは、デバイスが地理的エリア内にあると決定し、移動体デバイスが地理的エリア内にあると決定することに基づいて、警告メッセージのコンテンツをユーザに提供するようにさらに構成されてもよい。少なくとも１つのプロセッサは、警告メッセージに基づいて、移動体デバイスが地理的エリア内にあるか地理的エリア外にあるかを決定することができないとき、移動体デバイスが警告メッセージをユーザに提供すべきである、または、提供すべきでないと決定し、移動体デバイスが地理的エリア内にあるかもしれない、または、ないかもしれないと決定し、移動体デバイスが警告メッセージを提供すべきであると表示が示すとき、警告メッセージのコンテンツをユーザに提供し、移動体デバイスが警告メッセージを提供すべきでないと表示が示すとき、警告メッセージのコンテンツをユーザに提供しないようにさらに構成されてもよい。少なくとも１つのプロセッサは、ロケーション推定が地理的エリア内にあると決定すること、ロケーション推定が地理的エリア外のしきい値距離内にあると決定すること、あるいは、ロケーション推定が地理的エリア内にあるか、または、地理的エリア外のしきい値距離内にあるかのいずれかであると決定することのうちの少なくとも１つによって、移動体デバイスが地理的エリア内にあると決定するように構成されてもよい。少なくとも１つのプロセッサは、警告メッセージに基づいて、しきい値距離を決定するように構成されてもよい。少なくとも１つのプロセッサは、ユーザが警告メッセージを受信することをオプトアウトしたか否かを決定し、ユーザが警告メッセージを受信することをオプトアウトしていないすると、内部セル表示の検出に基づいて、警告メッセージのコンテンツをユーザに提供するようにさらに構成されてもよい。
【０００７】
[0007]本開示にしたがう警告メッセージを提供する装置の１つの例は、ワイヤレスネットワーク中の基地局からブロードキャストされた警告メッセージを受信する手段と、警告メッセージはメッセージ識別子と内部または外部セル表示とを含み、内部セル表示の検出に基づいて、警告メッセージのコンテンツをユーザに提供する手段とを含む。
【０００８】
[0008]ワイヤレスネットワークに対する第１のネットワークノードにおいて、本開示にしたがうワイヤレスネットワークによってサービス提供される、移動体デバイスに警告メッセージを提供するための方法の例は、ゲートウェイノードからアラートメッセージを受信することと、アラートメッセージは、少なくとも１つのメッセージパラメータを含み、ここで、少なくとも１つのメッセージパラメータは、ターゲット地理的エリアの定義を含み、ターゲット地理的エリアに基づいて、ワイヤレスネットワークに対する複数のセルを決定することと、複数のセル中の各セルに対するカバレッジエリアに基づいて、複数のセルを内部セルのサブセットおよび外部セルのサブセットに区分することと、第１の警告メッセージをワイヤレスネットワークに対する第２のネットワークノードに送ることと、第１の警告メッセージは、アラートメッセージに基づいており、第１の警告メッセージは、内部セルのサブセット中の各セルの識別を含み、第２の警告メッセージをワイヤレスネットワークに対する第２のネットワークノードに送ることとを含み、第２の警告メッセージは、アラートメッセージに基づいており、第２の警告メッセージは、ターゲット地理的エリアの定義と、外部セルのサブセット中の各セルの識別を含んでいる。
【０００９】
[0009]このような方法のインプリメンテーションは、以下の特徴のうちの１つ以上を含んでいてもよい。第１の複数の基地局が内部セルのサブセット中の各セルにおいて第１の警告メッセージをブロードキャストし、第２の複数の基地局が外部セルのサブセット中の各セルにおいて第２の警告メッセージをブロードキャストするように、第２のネットワークノードは、内部セルのサブセット関係付けられた第１の複数の基地局に第１の警告メッセージを転送してもよく、外部セルのサブセットに関係付けられた第２の複数の基地局に第２の警告メッセージを転送してもよい。複数のセルを決定することは、ターゲット地理的エリアとオーバーラップするセルカバレッジエリアを有するワイヤレスネットワークに対してセルを決定することを含んでいてもよい。複数のセルを区分することは、各セルのカバレッジエリアが完全にターゲット地理的エリア内にあるとき、または、部分的にターゲット地理的エリア内にあり、ターゲット地理的エリアの外側のしきい値距離を超えて伸長していないときにのみ、複数のセル中の各セルを内部セルのサブセットに割り当てることを含んでいてもよい。各セルのカバレッジエリアは、通常のカバレッジエリアまたは拡張カバレッジエリアであってもよい。しきい値距離は０であってもよい。第１の警告メッセージおよび第２の警告メッセージは、同じ警告メッセージであってもよく、内部セルのサブセット中の各セルの識別は内部セルの表示を含んでいてもよく、外部セルのサブセット中の各セルの識別は外部セルの表示を含んでいてもよい。第１の警告メッセージは、第１のメッセージ識別子を含んでいてもよく、第２の警告メッセージは、第２のメッセージ識別子を含んでいてもよく、第１のメッセージ識別子および第２のメッセージ識別子は、少なくとも１つのメッセージパラメータに基づいており、異なっている。ターゲット地理的エリアは、多角形、円または楕円であってもよい。第１のネットワークノードは、セルブロードキャストセンタ（ＣＢＣ）であってもよく、第２のネットワークノードは、モビリティ管理エンティティ（ＭＭＥ）またはアクセスおよびモビリティ管理機能（ＡＭＦ）であってもよい。
【００１０】
[0010]本開示にしたがう、ワイヤレスネットワークに対する基地局において、警告メッセージを移動体デバイスに提供するための方法の１つの例は、ワイヤレスネットワークに対するネットワークノードから第１の警告メッセージを受信することと、第１の警告メッセージは、基地局に対する少なくとも１つのセルの識別と、少なくとも１つのセルが内部セルであるか外部セルであるかの第１の表示とを含み、少なくとも１つのセルにおいて第２の警告メッセージをブロードキャストすることとを含み、第２の警告メッセージは、第１の警告メッセージに基づいており、第２の警告メッセージは、少なくとも１つのセルが内部セルであるか外部セルであるかの第２の表示を含み、第２の表示は、第１の表示に基づいている。
【００１１】
[0011]  このような方法のインプリメンテーションは、以下の特徴のうちの１つ以上を含んでいてもよい。第１の表示および第２の表示は、内部セルの両方の表示または外部セルの両方の表示であってもよい。第１の警告メッセージは、ターゲット地理的エリアの定義を含んでいてもよく、ターゲット地理的エリアの定義は、第１の表示が外部セルの表示であるとき、第２の警告メッセージ中に含まれてもよい。第１の表示が内部セルの表示であるとき、第２の警告メッセージにおけるターゲット地理的エリアの定義は除外されてもよい。第２の表示は、第２の警告メッセージ中のターゲット地理的エリアの定義を含むか、または除外することができる。ネットワークノードは、アクセスおよびモビリティ管理機能（ＡＭＦ）であってもよく、基地局は、次世代進化型ノードＢ（ｎｇ−ｅＮＢ）または新たな無線ノードＢ（ｇＮＢ）であってもよい。ネットワークノードは、モビリティ管理エンティティ（ＭＭＥ）であってもよく、基地局は、進化型ノードＢ（ｅＮＢ）であってもよい。
【図面の簡単な説明】
【００１２】
【図１】[0012]  図１は、ＷＥＡシステムの例のダイヤグラムである。
【図２Ａ】[0013]  図２Ａは、ＷＥＡ伝送サービスを使用する例示的なアラートメッセージフローのダイヤグラムである。
【図２Ｂ】[0014]  図２Ｂは、緊急アラートを表示する例示的なユーザインターフェースを示している。
【図３】[0015]  図３は、警告またはアラートメッセージに対する内部セルおよび外部セルの例を図示するダイヤグラムである。
【図４】[0016]  図４は、ワイヤレス緊急アラートを提供するための例示的なネットワークアーキテクチャのダイヤグラムである。
【図５】[0017]  図５は、警告またはアラートメッセージに対する内部セルおよび外部セルのさらなる例を図示するダイヤグラムである。
【図６】[0018]  図６は、ワイヤレス緊急アラートを提供するための例示的なメッセージフローダイヤグラムである。
【図７】[0019]  図７は、警告メッセージをユーザに提供するための方法のプロセスフローダイヤグラムである。
【図８】[0020]  図８は、警告メッセージをネットワークノードに提供する方法についてプロセスフローダイヤグラムである。
【図９】[0021]  図９は、基地局から移動体デバイスに警告メッセージを提供する方法についてプロセスフローダイヤグラムである。
【図１０】[0022]  図１０は、例示的なワイヤレスノードの概略ダイヤグラムである。
【図１１】[0023]  図１１は、例示的なユーザ機器のブロックダイヤグラムである。
【００１３】
[0024]ある例示的なインプリメンテーションにしたがって、さまざまな図面における同様の参照記号は、同様の要素を示す。
【詳細な説明】
【００１４】
[0025]ここでは、移動体デバイスのユーザにワイヤレス緊急アラートを提供するための技術について論じる。例えば、影響を受けるエリアの表示を含む緊急情報が、地方自治体または中央政府機関によって、セルラ移動体サービスプロバイダ（ＣＭＳＰ）ネットワークに提供されてもよく、警告メッセージが、その後、ＣＭＳＰネットワーク中の基地局によって影響を受けるエリア内の移動体デバイスにブロードキャストされてもよい。各移動体デバイスは、次いで、警告メッセージを移動体デバイスのユーザに表示することができ、または、そうでなければ、何らかの方法で（例えば、可聴信号を介して）警告メッセージの存在をユーザに警報することができる。これらの技術は例に過ぎず、網羅的なものではない。
【００１５】
[0026]ここで説明するアイテムおよび／または技術は、言及していない他の能力とともに、以下の能力のうちの１つ以上を提供することができる。「警告メッセージ」とも呼ばれる「アラートメッセージ」は、緊急管理エンティティによって提供され、ＣＭＳＰによって受信されてもよい。アラートメッセージは、影響エリアを含んでいてもよい。ＣＭＳＰは、完全に影響を受けるエリア内にある、ネットワーク送信エリアのカバレッジエリアを決定することができる。完全に影響を受けるエリア内にあるカバレッジエリアを有するネットワーク送信エリアは、内部送信エリアとして分類されてもよい。影響を受けるエリア内およびカバレッジエリアの外側の両方にあるカバレッジエリアを有するネットワーク送信エリアは、外部送信エリアとして分類されてもよい。影響エリアを含むアラートメッセージは、ＣＭＳＰネットワーク中の移動体デバイスにブロードキャストされてもよい。内部分類または外部分類の表示は、アラートメッセージ中に含まれてもよく、または、アラートメッセージ中の他のデータによって推測されてもよい。内部送信エリアに関係付けてアラートメッセージを受信する移動体デバイスは、移動体デバイスの現在のロケーションを決定することなく、アラートメッセージを表示してもよい。外部送信エリアに関係付けてアラートメッセージを受信する移動体デバイスは、現在のロケーションを決定し、移動体デバイスが影響エリア内に位置付けられている場合かつその場合に限り、アラートメッセージを表示してもよい。典型的には、送信エリアは、ＣＭＳＰネットワーク中の個々のセルまたはセルセクタに対応することができ、このケースでは、内部送信エリアは「内部セル」と呼ばれることがあり、外部送信エリアは「外部セル」と呼ばれることがある。しかしながら、セルの集合（例えば、ＬＴＥ（登録商標）またはＮＲカバレッジのケースの追跡エリア、または、緊急エリア）、（例えば、ＷｉＦｉ（ｗｉ−ｆｉとも呼ばれる）またはＢｌｕｅｔｏｏｔｈ（登録商標）に対する）短距離アクセスポイントまたはビーコンの非セルラカバレッジエリア、ＦＭ無線送信に対するカバレッジエリア等のような、他のタイプの送信エリアが可能である。このような他のケースでは、「内部追跡エリア」、「内部緊急エリア」、「外部追跡エリア」、および「外部緊急エリア」という用語は、内部送信エリアまたは外部送信エリアに対応して使用されてもよい。
【００１６】
[0027]他の能力を提供することができ、本開示にしたがったインプリメンテーションのすべてが、論じる能力の、すべては言うまでもなく、いずれかを提供しなければならないわけではない。さらに、上記で着目した効果が、着目した以外の手段によって達成することが可能であってもよく、着目したアイテム／技術が、必ずしも着目した効果をもたらさなくてもよい。
【００１７】
[0028]「内部送信エリア」および「外部送信エリア」という用語、ならびにこれらの意味は、異なる方法で説明され、移動体デバイスに伝えられてもよいことに留意されたい。例えば、１つのインプリメンテーションでは、警告メッセージは、警告メッセージが内部送信エリア用であるか外部送信エリア用であるかを示すパラメータまたはフラグを含んでいてもよい。次いで、移動体デバイスは、内部送信エリアが示されている場合、現在のロケーションを決定することなく警告メッセージを表示することができ、または、外部送信エリアが示されている場合、移動体デバイスが影響エリア内に位置付けられていると検証された場合かつその場合に限り、警告メッセージを表示することができる。しかしながら、別のインプリメンテーションでは、警告メッセージは、移動体デバイスが現在のロケーションを取得し、移動体デバイスが警告メッセージに対する影響エリア中に位置付けられていることを検証する必要がある（ケースＡ）か否（ケースＢ）かの表示を含んでいてもよい。次いで、移動体デバイスは、ケースＢについて移動体デバイスの現在のロケーションを決定することなく警告メッセージを表示してもよく、または、移動体デバイスは、ケースＡについて影響エリア内に位置付けられていることを検証する場合かつその場合に限り、アラートメッセージを表示してもよい。両方のインプリメンテーションにおける移動体デバイスの挙動は同一であり、送信エリアを記述し、この記述を移動体デバイスに伝える方法のみが異なるかもしれない。１つの例として、「内部送信エリア」および「外部送信エリア」という用語は、それぞれ、「ＵＥロケーション検証が必要とされない送信エリア」および「ＵＥロケーション検証が必要とされる送信エリア」のような同等の定義によって置き換えられてもよく、これらは、移動体デバイスに伝えられてもよい。
【００１８】
[0029]図１を参照すると、例示的なＷＥＡシステム１００のダイヤグラムが示されている。ＷＥＡシステム１００は、無線周波数ブロードキャストテクノロジーを利用して、地理的に的を絞ったタイムリーなアラートメッセージを移動体デバイスに提供するように構成されている。アラートメッセージは、緊急事態に関する情報を受信者に提供することが意図され、地域規制の要件を満たすメッセージである。例えば、ＷＥＡシステム１００は、地震、津波、洪水、竜巻、山火事、テロ行為、子供の誘拐（例えば、ＡＭＢＥＲアラート）、可能性のある核ミサイル攻撃、局所的暴動、または、他のタイプの緊急事態のような地理的特定緊急事態について、ユーザに通知するためのアラートメッセージを生成し、提供することができる。
【００１９】
[0030]多くの国では、商用移動体サービスプロバイダ１０４（ＣＭＳＰ)１０４（ときにはここでは「プロバイダ」と呼ばれる）は、合意した標準規格、プロトコル、および／または、手順に準拠するアラートメッセージを送信することを要求される。１つの例として、米国におけるＷＥＡサポートに適用可能な標準規格、プロトコル、および／または、手順は、電気通信産業ソリューション連合(Alliance for Telecommunications Industry Solutions (ATIS) )、電気通信工業会 (Telecommunications Industry Association(TIA) )、および／または、ジョイントＡＴＩＳ／ＴＩＡグループによって提供されてもよい。関連する標準規格の１つの例は、ＣＭＳＰゲートウェイインターフェース仕様に対するジョイントＡＴＩＳ／ＴＩＡ商用移動体アラートシステム（ＣＭＡＳ）連邦アラートゲートウェイ(J-STD-101:Joint ATIS/TIA Commercial Mobile Alert System(CMAS)Federal Alert Gateway to CMSP Gateway Interface Specification)である。ＣＭＳＰ１０４によって制御されるアラートメッセージプロセスはまた、地方および／または連邦政府の規制（例えば、米国連邦通信委員会（ＦＣＣ）および州または郡の緊急準備手順によって採用された規制）に準拠するように要求されてもよい。ＷＥＡシステムに対する政府連携は、ＦＣＣ、連邦緊急事態管理局(FEMA:Federal Emergency Management Agency)、国土安全保障省（ＤＨＳ）によって提供される。
【００２０】
[0031]動作中、アラートメッセージは、連邦機関、地方緊急オペレーションセンター（ＥＯＣ）、および州ＥＯＣから発信してもよい。アラートメッセージは、図１中に図示されていない他のソースから発信することもできる。アラートメッセージは、地震、津波、洪水、竜巻、山火事、テロ行為、戦争行為、市民の暴動、および／または、子供の誘拐（例えば、ＡＭＢＥＲアラート）のようなさまざまなタイプの緊急事態によってトリガされてもよい。さまざまなソース（例えば、連邦機関、地方ＥＯＣ、および州ＥＯＣ）から発信されるアラートメッセージは、アラートアグリゲータ１０２に提供されてもよい。いくつかのコンフィギュレーションでは、アラートアグリゲータ１０２は、アラートメッセージを認証してもよい。認証は、認可されていないソース（例えば、テロリスト、ハッカー、敵意のある外国等）がＷＥＡシステム１００を使用して不正なアラートメッセージを移動体デバイスに広めることを防止するために、アラートメッセージが認可されたソースによって送信されたことを確認するアラートメッセージの信頼性をチェックすることを伴ってもよい。アラートアグリゲータ１０２は、アラートメッセージをＣＭＳＰ１０４（および場合によっては図１中に示されていない他のＣＭＳＰ）に提供してもよく、これは、（例えば、セルラ基地局および場合によってはＷｉＦｉアクセスポイントのような他の送信機を含んでいてもよい）１つ以上のネットワーク送信機１０６ａ−ｂを介して、アラートメッセージをＣＭＳＰにアクセスする移動体デバイスに送信するように準備される。いくつかのコンフィギュレーションでは、アラートアグリゲータ１０２は、政府エンティティ（例えば、連邦、州、地方機関）によって管理されてもよい。
【００２１】
[0032]ＣＭＳＰ１０４は、緊急事態の重大性（「重大性情報」と呼ばれる）とともに緊急事態に関係付けられた地理的エリアを決定または検証するための１つ以上のシステムおよび／または要員を含んでいてもよく、これはまた、アラートアグリゲータ１０２によって提供されてもよい。この地理的エリアは、影響を受けるエリア、影響エリア、ターゲットエリア、または、ターゲット地理的エリアと呼ばれることがあり、これらの用語は、ここでは同義的に使用される。例えば、ＣＭＳＰ１０４中の１つ以上のシステムおよび要員は、潜在的な竜巻上陸に関してアグリゲータ１０２から受信した通知が高い重大性を有すること、および、対応する影響を受けるエリア（例えば、予測された竜巻上陸エリア）が、送信機１０６ａ−ｂのようなＣＭＳＰ１０４ネットワークリソースによってカバーされるエリアを含むことを検証することができる。プロバイダは、ＣＭＳＰ１０４ネットワークのさまざまなコンポーネントを利用して、アラートメッセージを生成し、ターゲット地理的エリア内（またはＣＭＳＰ１０４によってサービス提供されるターゲット地理的エリアの一部分内）の移動体デバイスに送信することができる。１つの例では、ＷＥＡシステム１００は、１つ以上のアラートメッセージをターゲット地理的エリア内のすべての移動体デバイスに同時に提供できるように、ブロードキャストテクノロジーを利用してもよい。
【００２２】
[0033]図１をさらに参照して、図２Ａを参照すると、ＷＥＡ伝送サービス２００を使用するアラートメッセージフローの１つの例が示されている。（例えば、図１中のアラートアグリゲータ１０２に対応する）連邦アラートアグリゲータ２０２は、連邦機関、および州／地方ＥＯＣ（図２Ａ中には図示せず）のような検証されたソースからアラート情報を受信するように構成される。次いで、アラート情報は、（例えば、図１中のＣＭＳＰネットワーク１０４に対応する）ＣＭＳＰネットワーク２０４に提供される。ＣＭＳＰネットワーク２０４は、地理的境界を含むアラートメッセージを生成し、（例えば、図１中の送信機１０６ａ−ｂに対応する）１つ以上の送信機２０６ａを介して、アラートメッセージを１つ以上の移動体デバイス２０８にブロードキャストするように構成される。ここで使用するように、用語、移動体デバイスは、セルラ電話機、スマートフォン、セッション開始プロトコル（ＳＩＰ）電話機、ラップトップ、パーソナルデジタルアシスタント（ＰＤＡ）、衛星無線、追跡デバイス、マルチメディアデバイス、ビデオデバイス、デジタルオーディオプレーヤ（例えば、ＭＰ３プレーヤ）、カメラ、ゲームコンソール、タブレット、インターネットオブシングス（ＩｏＴ）デバイス、ウェアラブルデバイス（例えば、スマートウォッチ）、または、他の何らかの同様に機能するデバイスを含んでいてもよい。移動体デバイスはまた、当業者によって、移動局、加入者局、移動体ユニット、加入者ユニット、ワイヤレスユニット、遠隔ユニット、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または他の何らかの適切な専門用語で呼ばれてもよい。
【００２３】
[0034]１つの例では、ＣＭＳＰネットワーク２０４および送信機２０６ａは、第３世代パートナーシッププロジェクト（３ＧＰＰ（登録商標））によって定義されたようなロングタームエボリューション（ＬＴＥ）ワイヤレスネットワークであってもよく、アラートメッセージは、１つ以上のＬＴＥシステム情報ブロック（例えば、ＳＩＢ１２）を使用してブロードキャストされてもよい。アラートメッセージは、多角形、円、楕円、または他の何らかの形状（または複数の形状）によって定義されるターゲット地理的エリアのような、影響を受けるエリアの表示を含んでいてもよい。移動体デバイス２０８は、アラートメッセージ中に含まれる情報を解析および処理するように構成されたソフトウェアアプリケーション（例えば、ＷＥＡａｐｐ）を含んでいてもよい。例えば、図２Ｂを参照すると、移動体デバイス２０８は、アラートメッセージ２０９を表示するためにＷＥＡａｐｐを実行してもよい。アラートメッセージ２０９は、（この例では）アラートメッセージ中に含まれる、影響を受けるエリアの地理的境界線を表す多角形エリア２１０を含むことができる。１つの実施形態では、移動体デバイス２０８上にアラートメッセージを表示するプロセスは、移動体デバイスの現在のロケーションに基づいてもよい。例えば、移動体デバイス２０８が多角形エリア２１０内の第１のポジション２１２に位置付けられている場合、移動体デバイス２０８はアラートメッセージ２０９を表示するだろう。逆に、移動体デバイス２０８が多角形エリア２１０の外側にある第２のポジション２１４に位置付けられている場合、アラートメッセージは表示されないかもしれない。１つの例では、多角形エリア２１０の外側にあり、それを取り囲む、「ボーダーエリア」２１８とも呼ばれる境界エリア２１８が定義されてもよい。境界エリア２１８は、（例えば、１つの、いくつかの、またはすべての方向に０．１、０．２、または０．５マイルだけ影響エリアの境界を外側に拡張することによって）多角形エリア２１０を予め定められた値だけ外側に拡張することができる。多角形エリア２１０の外側であるが境界エリア２１８内にある第３のポジション２１６に明確に位置付けられている移動体デバイスは、緊急事態の重大性、ユーザ選好、ＣＭＳＰ選好、および／または、移動体デバイスのポジションの不確実性のような他の要因に基づいて、アラートメッセージをオプション的に表示してもよい。
【００２４】
[0035]移動体デバイスに対するロケーション推定は、典型的には、ロケーション測定値エラー、および／または、ロケーション測定値を取得するために使用される無線ソース（例えば、基地局および／またはナビゲーション衛星）のロケーションにおけるエラーのような、ロケーション測定値からロケーション推定を計算するために使用されるデータにおけるエラーに起因して生じるかもしれない、未知のエラーコンポーネントを含んでいるかもしれない。したがって、（例えば、境界エリア２１８によって制限されるような）短い距離だけ多角形エリア２１０の外側にある第３のポジション２１６は、第３のポジション２１６におけるエラーに起因する多角形エリア２１０の内側にある移動体デバイスに対するものであってもよい。第３のポジション２１６は、あるケースでは、依然として多角形エリア２１０の外側にあるかもしれない、ターゲット多角形エリア２１０における使用の有無を確実に決定することができないときに、アラートメッセージを提供しないことよりもむしろ、アラートメッセージをユーザに提供することが（例えば、政府当局および規制者によって）より重要であると見なされるかもしれない。
【００２５】
[0036]多くの移動体デバイスを有する大規模ネットワークでは、移動体デバイスのそれぞれのポジショニング能力を利用することは、結果として、広範なポジショニング動作と、ポジショニングメッセージ、ポジショニング測定値、および／または、ポジショニング計算によって生じる、ネットワークオーバーヘッドおよび／または移動体デバイスオーバーヘッドの対応する増加したレベルとをもたらすかもしれない。具体的には、緊急事態の間、地理的エリア内の多くの移動体デバイスは、受信したアラートメッセージを表示すべきか否かを決定するのを手助けするために、ポジショニングメッセージを同時に送信および受信してもよい。メッセージングのこの増加は、ネットワークによる広範なサポートを必要とするかもしれない。極端には、ポジショニングメッセージの突然の増加が、ネットワークを圧倒するかもしれない。ネットワーク（および移動体デバイス）上の増加したメッセージングおよび処理負荷は、各移動体デバイスをポジショニングするために利用可能なネットワークリソースがより少ないことに起因して、ポジショニングにおけるエラーも増加させるかもしれない。不正確なポジション推定のために、移動体デバイスは、それがターゲット多角形形状およびボーダーエリアの外側または内側のいずれかに位置付けられていると不正確に決定するかもしれない。これらの結果に加えて、アラートメッセージをユーザに提供する際に遅延が追加されるかもしれない。したがって、ここで説明する実施形態は、ネットワークおよび／または移動体デバイスにおけるポジショニングメッセージ送信および／またはポジショニング動作の数を低減することによって、これらの問題を緩和または回避でき、および／または、アラートメッセージの迅速な配信を促進できる。
【００２６】
[0037]別のワイヤレス緊急アラートソリューションは、緊急メッセージをブロードキャストする前に、任意のターゲットエリアに対する内部セルと外部セルとを決定することが可能であるネットワークオペレータに依拠してもよい。図３を参照すると、内部セルおよび外部セルを含むアクセスネットワーク３００の１つの例が示されている。アクセスネットワーク３００のカバレッジエリアは、それぞれが少なくとも１つの基地局によってサービス提供される多数のセルラ領域（セル）に分割される。各基地局は、基地局によってサポートされるセル中に位置付けられている移動体デバイスと通信するように構成されている、１つ以上のトランシーバを含む。１つの例では、ワイヤレスネットワーク３００はＬＴＥ無線アクセスネットワークであり、基地局は、進化型ノードＢ（ｅＮｏｄｅＢ、ｅＮＢ）ネットワーク要素である。ＮＲノードＢ（ｇＮＢ）と呼ばれる基地局を使用してもよい、第５世代（５Ｇ）ネットワークとも呼ばれる新たな無線（ＮＲ）無線アクセスネットワークのような、他のネットワークコンフィギュレーションおよび要素も使用されてもよい。基地局は、（セルセクタとも呼ばれる）１つ以上（例えば、３つ）のセルをサポートしてもよい。「セル」という用語は、特定のカバレッジエリアにサービス提供する基地局サブシステムおよび／または基地局の最小のカバレッジエリアを指すことができる。さらに、「基地局」、「ｅＮＢ」、「次世代ｅＮＢ」（ｎｇ−ｅＮＢ）、「ｇＮＢ」、および「セル」という用語は、ここでは交換可能に使用されてもよい。
【００２７】
[0038]図３では、楕円形状３０２ａによって表される影響を受けるエリアは、アクセスネットワーク３００のカバレッジエリア上にオーバーレイされる。（破線で表される）対応するボーダーエリア３０２ｂは、（例えば、１つの、いくつかの、または、すべての方向へ、影響エリアの境界を０．１、０．２、０．５マイル等外側に拡張することによって） 予め定められた量だけの影響エリアの拡張を表す。影響エリアおよび影響エリアへの拡張は、プロバイダによって確立され、警告メッセージ中に含まれてもよい。代替的に、または加えて、影響エリアへの拡張は、各移動体デバイス内で構成されてもよい。楕円形状３０２ａのロケーションに関連して、（図３では無地の背景で示される）内部セルは、多角形形状３０２ａおよびボーダーエリア３０２ｂ内に完全に含まれるワイヤレスカバレッジエリアを有する任意のセルであってもよい。ＬＴＥ無線アクセスネットワークでは、これは、内部セルから（例えば、ＳＩＢ１２ブロードキャストを介して）警告メッセージを受信することができる任意の移動体デバイスが、ターゲット多角形形状３０２ａの内側にあるか、またはボーダーエリア３０２ｂの内側にあることを意味する。（図３においてハッチングされた背景で示される） 外部セルは、ターゲット多角形エリア３０２ａと部分的にオーバーラップするが、ターゲット多角形エリア３０２ａおよびボーダーエリア３０２ｂの外側のエリアも含むカバレッジエリアを有するすべての他のセルを含んでもよい。ＬＴＥの例を続けると、ｅＮＢは、セルが内部セルであるか外部セルであるかに関する各セルに対する表示を含むＷＥＡメッセージをブロードキャストするように構成されてもよい。このような表示は、単純なブールフラグまたは他の変数であってもよい。１つの例では、セルが内部セルであるか外部セルであるかに関する表示は、（例えば、定義が外部セルに対して存在し、内部セルに対して存在しない場合）ターゲット楕円エリア３０２ａの定義の有無によって表されてもよい。外部セルに対するＷＥＡメッセージを受信する移動体デバイスは、そのロケーションを決定し、ロケーションがターゲット多角形エリア３０２ａまたはボーダーエリア３０２ｂの内側にあるか否かを検証し、次いで、必要に応じてＷＥＡメッセージを表示するまたは表示しないように構成されてもよい。逆に、内部セルに対するＷＥＡメッセージを受信する移動体デバイスは、移動体デバイスのロケーションを取得することなく、または、移動体デバイスがターゲット多角形エリア内にあるか否かを決定することを試行することなく、ＷＥＡメッセージをユーザに表示するかまたはそうでなければ示すように構成されてもよい。
【００２８】
[0039]内部セルの識別は、移動体デバイスが影響を受けるエリアに位置付けられていることを検証するために前の例において必要とされた、移動体デバイスロケーションを取得するために使用される遅延およびメッセージングオーバーヘッドを低減するために使用されてもよい。移動体デバイスのポジションが影響を受けるエリアの外側にあると誤って決定されることから、内部セルの識別は、さもなければ結果としてアラートメッセージのユーザへの提供に失敗することをもたらすことがあるポジショニングエラーを低減または回避もできる。内部セル内のポジショニング要件の低減は、結果として、内部セルによってサービス提供される移動体デバイスにアラートメッセージを提供することの、より少ないリソース使用、より短い待ち時間、および、より高い信頼性をもたらしてもよい。これらの改善は、影響を受けるエリアにおけるすべてのセルに対するＷＥＡの全体的な統計的性能を改善することができる。
【００２９】
[0040]図４を参照すると、ワイヤレス緊急アラートを提供するための例示的なネットワークアーキテクチャ４００が示されている。さまざまなソース（例えば、連邦機関、地方ＥＯＣ、および州ＥＯＣ）から発信されるアラートメッセージは、ネットワークプロバイダに伝達するために（例えば、図１のアラートアグリゲータ１０２および図２Ａのアラートアグリゲータ２０２に対応する）アラートアグリゲータ４０２に提供される。１つの例では、アラートアグリゲータ４０２は、不正なアラートがＷＥＡシステムによってブロードキャストされることを防止するために、アラートメッセージを認証するように構成された連邦アラートゲートウェイ４０４にアラートを提供することができる。
【００３０】
[0041]（例えば、図１中のＣＭＳＰネットワーク１０４および図２Ａ中のＣＭＳＰネットワーク２０４に対応する）ＣＭＳＰコアネットワーク（ＣＮ）４０６は、連邦ゲートウェイ４０４から影響エリア情報を含むアラートを受信する。図４中に図示するＣＭＳＰコアネットワーク４０６は、ＬＴＥおよび５Ｇネットワークに関係付けられている要素を含むが、本開示はこのように限定されない。ここで説明する機能性は、他のワイヤレスネットワークテクノロジーに適用されてもよい。ＣＭＳＰコアネットワーク４０６は、着信メッセージを検証および再フォーマットし、メッセージを１つ以上のセルブロードキャストセンター（ＣＢＣ）に配信するように構成されたＣＭＳＰゲートウェイ４０８を含む。ＣＭＳＰゲートウェイ４０８は、セルブロードキャストエンティティ（ＣＢＥ）と呼ばれることもある。ＣＢＣ４１０ａは、ＬＴＥアーキテクチャにおいて使用されてもよく、ＣＢＣ機能（ＣＢＣＦ）４１０ｂは、５Ｇアーキテクチャにおいて使用されてもよい。ＣＢＣ４１０ａおよびＣＢＣＦ４１０ｂ（まとめてＣＢＣ４１０と呼ぶ）は、アラートがキャンセルされるかまたはアラートが満了するまで、アラートに対する追跡エリア、緊急エリア、および／またはセルＩＤリストを識別するための情報を保持するように構成される。ＣＢＣ４１０は、ブロードキャストに含めるＷＥＡアラートに対するネットワーク要素を決定してもよい。ＣＢＣ４１０は、ＳＢｃインターフェースを介して１つ以上のモビリティ管理エンティティ（ＭＭＥ）４１４ａ−ｂにアラートメッセージを渡してもよい。１つの変形では、ＣＢＣＦ４１０ｂは、サービスベースのインターフェースを使用して、アラートメッセージをアクセスおよびモビリティ管理機能（ＡＭＦ）４１６に直接渡してもよい。別の例では、アラートメッセージは、ＳＢｃインターフェースを使用して、ＣＢＣＦ４１０ｂによって公衆警告システムインターワーキング機能（ＰＷＳ  ＩＷＦ）４１２に転送されてもよく、次いで、ＰＷＳ  ＩＷＦ４１２は、プロトコル変換を実行し、サービスベースのインターフェースを使用して、アラートメッセージをＡＭＦ４１６に転送してもよい。
【００３１】
[0042]ネットワークアーキテクチャ４００は、ＣＭＳＰ  ＣＮ４０６がＬＴＥとＮＲの両方を使用するワイヤレスアクセスをサポートすると仮定することに留意されたい。ＬＴＥワイヤレスアクセスのみをサポートするＣＭＳＰ ＣＮでは、ＮＧ＿ＲＡＮ４３０、ＡＭＦ４１６、ＰＷＳ  ＩＤＦ４１２、および、ＣＢＣＦ４１０ｂは存在しないかもしれない。同様に、ＮＲワイヤレスアクセス（またはＮＧ−ＲＡＮ４３０を介するがＥ−ＵＴＲＡＮを介さないＬＴＥワイヤレスアクセス）のみをサポートするＣＭＳＰ  ＣＮでは、Ｅ−ＵＴＲＡＮ４２０、ＭＭＥ４１４ａおよび４１４ｂ、ならびに、ＣＢＣ４１０ａは存在しないかもしれない。
【００３２】
[0043]一般的に、ＣＢＣ４１０（例えば、ＣＢＣ４１０ａおよびＣＢＣＦ４１０ｂ）の役割は、影響エリアに基づいて、どのセル（あるいはセルにマッピングしてもよいどの追跡エリアまたはどの緊急エリア）においてアラートメッセージをブロードキャストする必要があるかを決定することである。ＣＢＣ４１０は、ＣＭＳＰゲートウェイ４０８から、アラートメッセージとともにアラート影響エリアの記述または定義を、および、アラートメッセージに対して必要とされる頻度および送信の期間を受信し、ＣＭＳＰゲートウェイ４０８は、少なくとも影響エリアの記述または定義を、および、アラートメッセージを連邦アラートゲートウェイ４０４から受信する。影響エリアは、多角形、楕円、円、または、先に例示したような他の何らかの２次元（または３次元）形状として定義することができる。ＣＢＣ４１０の１つの役割は、（図３に関して図示したような）影響エリア内のまたは少なくとも部分的に影響エリア内の、ＣＭＳＰ  ＣＮ４０６に接続された無線アクセスネットワーク（ＲＡＮ）に対するワイヤレスセル（または場合によっては追跡エリアもしくは緊急エリア）を決定することであってもよい。ＣＢＣ４１０はまた、ここで説明する方法に基づいて、各セル（または各追跡エリアもしくは緊急エリア）について対応する内部−外部分類を決定してもよい。ＣＢＣ４１０は、セル（または追跡エリアまたは緊急エリア）のリストと、各セル（または各追跡エリアまたは緊急エリア）に対する内部または外部分類とを決定し、セル（または追跡エリアまたは緊急エリア）のリストおよび対応する内部／外部分類とともに、アラートメッセージを１つ以上のＭＭＥ４１４ａ−ｂおよび／または１つ以上のＡＭＦ４１６に送る。
【００３３】
[0044]１つの実施形態では、ＭＭＥ４１４またはＡＭＦ４１６に接続された、または、ＭＭＥ４１４またはＡＭＦ４１６から到達可能な基地局からアクセスできる、セル（または追跡エリアもしくは緊急エリア）のリストを、ＣＢＣ４１０は、ＭＭＥ４１４またはＡＭＦ４１６にのみ転送してもよい。例えば、ＣＢＣ４１０は、ターゲットエリアに対応するセルの完全なリストを、セルの異なるオーバーラップしないサブセットに区分してもよく、セルの各サブセットは、セルのこのサブセットに対するアラートメッセージおよび内部／外部分類とともに、異なるＭＭＥ４１４またはＡＭＦ４１６に転送される。ＣＢＣ４１０はまた、各ＭＭＥ４１４およびＡＭＦ４１６に、アラートメッセージをブロードキャストする必要がある１つ以上の追跡エリアの表示を転送してもよく、これは、場合によってはブロードキャストについてアラートメッセージを転送すべき基地局（例えば、ｅＮＢ４２２、ｎｇ−ｅＮＢ４３２、および／または、ｇＮＢ４３４）を決定するために、ＭＭＥ４１４またはＡＭＦ４１６によって使用されてもよい。
【００３４】
[0045]ＭＭＥ４１４およびＡＭＦ４１６は、セル変更およびハンドオーバーを含む、ＵＥ４０５によるネットワークアクセスおよび登録、ＵＥ４０５のモビリティをサポートしてもよく、ＵＥ４０５へのシグナリング接続、および場合によっては、ＵＥ４０５のためのデータおよび音声ベアラをサポートすることに関係してもよい。ここで説明する方法についてのＭＭＥ４１４の役割は、上記で説明したようなＣＢＣ４１０ａによって提供される１つ以上の追跡エリアの表示を使用して決定されるような、セルのリストおよび内部／外部分類とともにアラートメッセージを、進化型ユニバーサル移動体電気通信システム（ＵＭＴＳ）地上無線アクセス（Ｅ−ＵＴＲＡＮ）４２０におけるｅＮＢ４２２ａ−ｄのうちの１つ以上に転送することであってもよい。ＡＭＦ４１６は、ＣＢＣＦ４１０ｂによって提供される１つ以上の追跡エリアの表示を使用して決定されるような、セルのリストおよび内部／外部分類とともにアラートメッセージを、次世代ＲＡＮ（ＮＧ−ＲＡＮ）４３０中のｇＮＢ４３４および／またはｎｇ−ｅＮＢ４３２のうちの１つ以上に転送することに関して、対応する役割を実行してもよい。ここで、通常動作に関して、ｇＮＢ４３４は、ＵＥ４０５ｆによってＮＲを使用するワイヤレスアクセスをサポートすることができ、ｎｇ−ｅＮＢ４３２は、ＵＥ４０５ｅに対してＬＴＥを使用するワイヤレスアクセスをサポートすることができ（ただし、通信はＭＭＥ４１４よりもむしろＡＭＦ４１６を通過する）、ｅＮＢ４２２ａ−ｄは、ＵＥ４０５ａ−ｄによってＬＴＥを使用するワイヤレスアクセスをサポートすることができる。ここで説明する方法に関して、ｅＮＢ４２２ａ−ｄ、ｎｇ−ｅＮＢ４３２、およびｇＮＢ４３４を備える基地局は、（例えば、ＳＩＢ１２を使用して）内部−外部分類および（例えば、外部分類に対する）ターゲットエリア形状を含む、アラートメッセージを、これらのそれぞれのカバレッジエリア中のＵＥ４０５にブロードキャストする。ブロードキャストは、ＭＭＥ４１４またはＡＭＦ４１６によってアラートメッセージに関係付けて基地局に示される各セルにおいて行われてもよい。
【００３５】
[0046]１つの例では、ＣＢＣ４１０（例えば、ＣＢＣ４１０ａまたはＣＢＣＦ４１０ｂ）は、少なくとも部分的にターゲットエリア内にあるセルが内部セルであるか外部セルであるかを決定し、次いで、分類を示すために各セルに関連付けられたフラグ（例えば、ブールタイプまたは他の変数タイプ）を含むように構成されてもよい。フラグは、基地局によって解釈されて、各基地局がアラートメッセージをブロードキャストするときに、ブロードキャストが内部セルに対するか外部セルに対するかを示すことができる。別の例では、内部−外部分類の表示は、アラートメッセージ中の（例えば、多角形に対する頂点の座標、または、円に対する中心の座標および半径の長さの座標のような）ターゲットエリアに対する定義の包含または除外によって伝えられてもよい。例えば、定義の包含は、外部セルを示すことができ、定義の除外は、内部セルを示すことができる。
【００３６】
[0047]ここで実施形態Ｅ１と呼ばれる別の実施形態では、ＣＢＣ４１０は、異なるメッセージ識別子を含む２つのアラートメッセージをＭＭＥ４１４またはＡＭＦ４１６に送るように構成されてもよい。第１のアラートメッセージは、内部セルにおいてのみブロードキャストされてもよく、したがって、内部セルのみのリストを伴ってもよく、ＣＢＣ４１０によって、内部セルのリストに関連付けられたＭＭＥ４１４、ＡＭＦ４１６に、および、（その後）基地局（例えば、ｅＮＢ４２２、ｎｇ−ｅＮＢ４３２、および、ｇＮＢ４３４）にのみ転送されてもよい。ターゲットエリアの定義は、第１のアラートメッセージをＭＭＥ４１４またはＡＭＦ４１６に転送するとき、ＣＢＣ４１０によって第１のアラートメッセージに対して提供されなくてもよい。したがって、基地局（例えば、ｅＮＢ４２２、ｎｇ−ｅＮＢ４３２、または、ｇＮＢ４３４）は、ターゲットエリアの定義を含むことなく第１のアラートメッセージをブロードキャストしてもよい。したがって、第１のアラートメッセージのブロードキャストを受信するＵＥ４０５は、例えば、ターゲットエリアに対する定義がないことに基づいて、または、第１のアラートメッセージのための別個のメッセージ識別子に基づいて、アラートメッセージをユーザに常に提供してもよい。第２のアラートメッセージは、外部セルにおいてのみブロードキャストされてもよく、したがって、外部セルのみのリストを伴ってもよく、ＣＢＣ４１０によって、外部セルのリストに関連付けられたＭＭＥ４１４、ＡＭＦ４１６に、および、（その後）基地局（例えば、ｅＮＢ４２２、ｎｇ−ｅＮＢ４３２、および、ｇＮＢ４３４）にのみ転送されてもよい。ターゲットエリアの定義は、第２のアラートメッセージをＭＭＥ４１４またはＡＭＦ４１６に転送するときに、ＣＢＣ４１０によって第２のアラートメッセージに対して提供されてもよい。したがって、基地局（例えば、ｅＮＢ４２２、ｎｇ−ｅＮＢ４３２、または、ｇＮＢ４３４）は、ターゲットエリアの定義とともに第２のアラートメッセージをブロードキャストすることができる。したがって、第２のアラートメッセージのブロードキャストを受信するＵＥ４０５は、例えば、ターゲットエリアに対する定義の存在に基づいて、または、第２のアラートメッセージに対する別個のメッセージ識別子に基づいて、ＵＥ４０５のロケーションがターゲットエリア内に、または、ターゲットエリアの周りの境界内にある場合にのみ、アラートメッセージをユーザに提供してもよい。この例では、第１および第２のアラートメッセージの両方は、ＵＥ４０５がターゲットエリア中にあるか否かを決定する能力をサポートする、ＵＥ４０５のみにブロードキャストされるように定義されたメッセージであってもよく、このケースでは、第１および第２のアラートメッセージの両方に対するメッセージ識別子は、ＵＥ４０５がターゲットエリア中にあるか否かを決定する能力をサポートしない、ＵＥ４０５にブロードキャストされるアラートメッセージにおいて使用されない新たなメッセージ識別子であってもよい。代替的に、この例では、第１のアラートメッセージは、ＵＥ４０５がターゲットエリア中にあるか否かを決定する能力をサポートしない、ＵＥ４０５にブロードキャストできるレガシーメッセージ識別子を含むレガシーアラートメッセージであってもよく、第２のアラートメッセージのみが、新たなメッセージ識別子を含み、ＵＥ４０５がターゲットエリア中にあるか否かを決定する能力をサポートするＵＥ４０５にブロードキャストされてもよい。この代替形態では、外部セル分類対内部セル分類は、それぞれ、メッセージ識別子によって、および／または、アラートメッセージに対するターゲットエリアの定義の有無それぞれによって伝えられてもよい。さらに、この代替実施形態では、いくつかの受信ＵＥ４０５が、ＵＥ４０５がターゲットエリア中にあるか否かを決定する能力をサポートしないレガシーＵＥである場合、第１のアラートメッセージは、内部セルと外部セルの両方においてブロードキャストされる必要があるかもしれず、次いで、セル中でこのような第１のアラートメッセージを受信するＵＥ４０５は、セルが内部セルであるか外部セルであるかを決定するために、第２のアラートメッセージもセル中でブロードキャストされるか否かを決定する必要があるかもしれない。実施形態Ｅ１は、ブロードキャストアラートメッセージに対するターゲットエリアの伝達およびブロードキャストを基地局がすでにサポートしている限り、いかなる新たな影響なく、基地局によるサポートが可能であってもよく、これは、全体的なインプリメンテーション影響を低減できる。
【００３７】
[0048]別の例では、ＳＩＢ１２メッセージ中の１つ以上のパラメータは、セルに対する内部−外部分類を示すために使用されてもよい。例えば、セルに対する内部−外部分類は、フラグの有無、ブールパラメータの偽対真値、アラートメッセージに対するターゲットエリアの定義を伝えるパラメータの有無、または、アラートメッセージに対するメッセージ識別子の値によって示されてもよい。
【００３８】
[0049]ネットワークアーキテクチャ４００は、ＧＰＳ、ＧＬＯＮＡＳＳ、ガリレオ、または、北斗のようなグローバルナビゲーション衛星システム（ＧＮＳＳ）、あるいは、ＩＲＮＳＳ、ＥＧＮＯＳ、または、ＷＡＡＳのような他の何らかの地方または地域衛星ポジショニングシステム（ＳＰＳ）のために、衛星ビークル（ＳＶ）４９０に関係付けられてもよく、これへのアクセスを有していてもよい。ＵＥ４０５が、ＵＥ４０５に対するロケーション推定を決定すること、または、ＣＭＳＰ  ＣＮ４０６中のロケーションサーバからＵＥ４０５に対するロケーション推定を取得することを可能にしてもよい、ＳＶ４９０によって、ならびに／あるいは、ｅＮＢ４２２、ｎｇ−ｅＮＢ４３２、および／またはｇＮＢ４３４のような基地局およびアクセスポイントによって送信される信号に対するロケーション測定値を、ＵＥ４０５は取得してもよい。例えば、ＵＥ４０５は、ロケーション推定を計算し、返すために、ロケーション測定値をロケーションサーバに転送してもよい。ＵＥ４０５（またはＣＭＳＰ  ＣＮ４０６中のロケーションサーバ）は、ＧＰＳ、支援型ＧＰＳ（Ａ−ＧＰＳ）、支援型ＧＮＳＳ（Ａ−ＧＮＳＳ）、観測到着時間差（ＯＴＤＯＡ）、拡張セルＩＤ（ＥＣＩＤ）、（例えば、ＩＥＥＥ８０２．１１ＷｉＦｉアクセスポイントによって送信される信号を使用する）ワイヤレスローカルエリアネットワーク（ＷＬＡＮ）ポジショニング、ＵＥ４０５中のセンサ（例えば、慣性センサ）、または、これらの何らかの（ハイブリッド）組み合わせのようなポジション方法を使用して、ＵＥ４０５に対するロケーション推定を取得してもよい。ＵＥ４０５は、本明細書の他の場所で説明するように、ＵＥ４０５がブロードキャストアラートメッセージに対する影響エリア中にあるか否かを決定するために、または、決定するのを手助けするために、ＵＥ４０５に対するロケーション推定を使用してもよい。
【００３９】
[0050]図５は、多角形形状を有するターゲットエリアに対する内部セルおよび外部セルの例を含む、（例えば、図４のＮＧ−ＲＡＮ４３０および／またはＥ−ＵＴＲＡＮ４２０を使用する）ワイヤレスネットワークによってサービス提供される地理的エリア５００を示している。地理的エリア５００は、多角形（実線）である例示的なターゲットエリア５０２と、ターゲットエリア５０２を取り囲むボーダーエリア５０４（破線）とを含む。ターゲットエリア５０２の周囲とボーダーエリア５０４の周囲との間の距離「Ｄ」は、静的な標準値として割り当てられてもよく、あるいは、特定のアラートメッセージまたはターゲットエリアに動的に関係付けられてもよい。「Ｄ」の長さは変化してもよいが、典型的には１マイル以下の値であってもよい。地理的エリア５００は、複数のセル５０６−５２０を含んでいる。各セルの通常のカバレッジエリアは実線で輪郭が描かれ、セルのそれぞれに対する拡張カバレッジエリアは破線で図示されている。通常のカバレッジエリアは、典型的には、（各セルに対する中心または頂点において図５に示される）セルに対する基地局を介した、ＵＥへのおよびＵＥからのデータ、音声、および制御情報の転送をサポートするワイヤレスシグナリングの送信および受信を介して、ワイヤレスネットワークからサービスを取得するためにＵＥによって使用されてもよい。例えば、通常のカバレッジエリア中のＵＥは、別のセルへのハンドオーバーまたはセル変更の必要なく、セルに対する基地局と２方向シグナリングを交換することが可能であってもよい。拡張カバレッジエリアは、ＵＥがセルに対する基地局から信号を受信することができるが、典型的にはシグナリングを送ることができない追加のエリア（図５において円環として示される）を含んでいてもよい。例えば、拡張されたカバレッジエリア中にあるが通常のカバレッジエリア中にないＵＥは、アイドル状態にあるときにセルに対する基地局にキャンプオンしてもよいが、別のセルへのハンドオーバーまたはセル変更が必要とされる前に短い時間間隔（例えば、数秒以下）を超えて基地局と２方向シグナリングを交換することが可能でないかもしれない。動作中、移動局は、セルの通常のカバレッジエリア内ではないが拡張されたカバレッジエリア内に位置付けられてもよく、通常はセルによってサービス提供されないが、アイドル状態にあるときにセルにキャンプオンすることができ、したがって、そのセルからブロードキャストアラートメッセージを受信することができる。図５における通常のカバレッジエリアと拡張されたカバレッジエリアとの間の距離は、比較的均一な距離として示されているが、実際には、カバレッジエリアは、サイズが変化してもよく、距離は、すべてのセルについて同じでなくてもよく、異なる時間および／または異なる方向において同じセルについて同じでなくてもよい。セルはまた、本開示を簡略化する目的で、図５では交差しないで示している。しかしながら、通常のカバレッジエリア、より詳細には拡張カバレッジエリアは、任意の動作ネットワークにおいてオーバーラップする可能性が高い。
【００４０】
[0051]第１のセル５０６は、両方とも完全にターゲットエリア５０２内にある通常カバレッジエリアと拡張カバレッジエリアとを含むことから、内部セルの１つの例である。拡張カバレッジエリアがボーダーエリア５０４内にあることから、第２のセル５０８も内部セルと見なされてもよく、それによって、ターゲットエリア５０２とボーダーエリア５０４の両方の外側にあるときに、セル５０８にキャンプオンされているかまたはそれによってサービス提供されるＵＥがアラートメッセージを受信することを回避する。第３のセル５１０は、ネットワークオペレータの要件に基づいて、内部セルまたは外部セルと見なされてもよい。第３のセル５１０の通常のカバレッジエリア内の移動体デバイスは、ターゲットエリア５０２の外側にあるかもしれず、したがって、オペレータは、第３のセル５１０を外部セルと見なしてもよい。代替的に、第３のセル５１０の拡張カバレッジエリアがボーダーエリア５０４内にあることから、オペレータは、第３のセル５１０を内部セルと見なしてもよい。第４のセル５１２は、セルの拡張カバレッジエリアがボーダーエリア５０４を越えて伸長することから、外部セルの１つの例である。第５のセル５１４は、通常のカバレッジエリアとともに拡張カバレッジエリアがボーダーエリア５０４を越えて伸長することから、外部セルの１つの例である。第６のセル５１６は、通常のカバレッジエリアおよび拡張カバレッジエリアがターゲットエリア５０２の完全に外側にあり、したがって内部セルまたは外部セルのいずれとも見なされないセルの１つの例である。同様に、第７のセル５１８も完全にターゲットエリア５０２の外側にあり、したがって、アラートメッセージは第７のセル５１８中でブロードキャストされない。
【００４１】
[0052]セル５０６−５１８のそれぞれは円カバレッジエリアで図示されているが、いくつかまたはすべてのセルは複数のセクタ（例えば、３つのセクタ）を含んでいてもよく、内部−外部分類は、上記で説明した基準に基づいて各セクタに独立して割り当てられてもよい。例えば、３つのセルセクタ５２０ａ−ｃをサポートする基地局５２４が示されている。第１のセルセクタ５２０ａは、通常のカバレッジエリアがターゲットエリア５０２またはボーダーエリア５０４内にあるが、拡張カバレッジエリアがボーダーエリア５０４の外側に伸長することから、外部セルの１つの例である。第２のセルセクタ５２０ｂは、通常カバレッジエリアおよび拡張カバレッジエリアがボーダーエリア５０４を越えて拡張しないことから、内部セルの１つの例である。第３のセルセクタ５２０ｃは、ターゲットエリア５０２の完全に外側にあり、したがって、アラートメッセージのブロードキャストが必要とされないセルの１つの例である。セルセクタ５２０ａ−ｃは、いくつかの基地局（例えば、基地局５２４）について、基地局によってブロードキャストされることになるアラートメッセージを提供するときに、基地局によってサポートされる各セルについて（例えば、ＭＭＥ４１４またはＡＭＦ４１６から）別個の情報を伝えることが必要であるかもしれないことを示している。
【００４２】
[0053]図５はまた、アラートメッセージに対して外部セル中のＵＥがターゲットエリア５０２（および場合によってはボーダーエリア５０４）の外側にあるが、後にターゲットエリア５０２の内側のロケーションに移動するときに生じるかもしれない可能性のある問題を図示している。例えば、ＵＥ（例えば、ネットワークアーキテクチャ４００中のＵＥ４０５ａ−ｆのうちの１つ）は、最初に、ターゲットエリア５０２とボーダーエリア５０４の両方の外側にある外部セル５１４中のロケーション５１４Ａにあってもよい。ここで、ＵＥがセル５１４に対するアラートメッセージを受信する場合、ＵＥは、ＵＥがターゲットエリア５０２およびボーダーエリア５０４の外側にあると決定するかもしれず、したがって、アラートメッセージをユーザに提供しないかもしれない。しかしながら、ＵＥは、後に、ターゲットエリア５０２内にある外部セル５１４中のロケーション５１４Ｂに移動するかもしれず、したがって、ユーザへのアラートメッセージの提供を必要とする。しかしながら、ＵＥは、アラートメッセージをすでに受信しており、アラートメッセージをユーザに表示しないことを決定しているので、ＵＥは、セル５１４内のアラートメッセージの後の送信の受信を、すでに受信されたアラートメッセージの複製であるとして無視するかもしれない。そのケースでは、たとえユーザがターゲットエリア５０２内に移動したとしても、ユーザは、アラートメッセージを提供されないかもしれない。外部セル５１４内のロケーション５１４Ａからロケーション５１４Ｂに移動する代わりに、ＵＥがロケーション５１４Ａから、内部セル５０６または外部セルセクタ５２０ａのような異なるセル中にあるターゲットエリア５０２内の別のロケーションに移動する場合、同じ問題が生じるかもしれない。
【００４３】
[0054]今説明した問題は、ＵＥが他の条件下でロケーションを変更するときには生じないかもしれない。例えば、セル５１６またはセル５１８のようなターゲットエリア５０２の外側にある、第１のセルの内側に最初にあるＵＥは、後に、ターゲットエリア５０２の内側のセル５０６、５０８、５１０、５１２、または５１４のような第２のセルに移動してもよい。しかしながら、ターゲットエリア５０２の外側にある第１のセルは、アラートメッセージをブロードキャストしていないので、アラートメッセージは、第１のセルにおいてこのＵＥによって受信されていない。したがって、ＵＥが第２のセルにおいてアラートメッセージのブロードキャストを受信するとき、ＵＥは、ここで説明するさまざまな技術にしたがって、アラートメッセージを新たなアラートメッセージとして扱い、アラートメッセージをユーザに提供するだろう。同様に、ＵＥが最初に、内部セル（例えば、セル５０６、５０８、または５１０）または外部セル（例えば、セル５１２または５１４）のいずれかである第３のセルの内部にあり、ＵＥがその後、ＵＥがターゲットエリア５０２の内部にあることを暗示するロケーションを取得する場合、ＵＥは、（通常は）第３のセルから受信したときにアラートメッセージをユーザに提供する。ＵＥが後にターゲットエリア５０２内の別のロケーションに移動し、場合によっては異なる第４のセルに移動する場合、ＵＥは、アラートメッセージのさらなるブロードキャストを受信してもよいが、ＵＥがすでにアラートメッセージをユーザに提供しているので、これらのさらなるブロードキャストは、重複するものとして正しく無視されることになる。
【００４４】
[0055]ＵＥがターゲットエリア５０２中にないとＵＥが最初に決定した外部セルからターゲットエリア５０２中に移動するという今説明した問題を克服するために、ＵＥは、ここで技術Ｔ１と呼ばれる１つ以上の技術を使用してもよい。技術Ｔ１により、ＵＥは、ターゲットエリア５０２に移動したか否かを評価するために、そのロケーションを周期的に再取得してもよい。ＵＥがターゲットエリア５０２中に移動したとＵＥが決定する場合、ＵＥは、アラートメッセージをユーザに提供してもよい。技術Ｔ１をサポートするために、ＵＥは、最初の受信に続いてアラートメッセージのコンテンツを記憶し、アラートメッセージに対するあるパラメータ（例えば、警告タイプまたはメッセージタイプ、シリアル番号、ならびに最初の受信の日付および時間）を記憶してもよく、ある期間にわたってＵＥロケーションを周期的に（例えば、固定された周期的間隔に基づいて）再取得してもよい。期間および周期的間隔の両方は、ＵＥにおいて構成され、アラートメッセージに対するパラメータとして提供され、または、警告タイプもしくはメッセージタイプのようなアラートメッセージに対する他のパラメータに基づいてＵＥによって決定されてもよい。
【００４５】
[0056]しかしながら、ＵＥロケーションを頻繁に再取得することは、過剰なＵＥ（およびネットワーク）リソースを消費するかもしれない。加えて、ＵＥロケーションを再取得するための期間は正確でないかもしれず、長すぎるかまたは短すぎるかもしれない（例えば、緊急アラートの期間よりも長いかまたは短いかもしれない）。これらの問題を克服するために、技術Ｔ１の一部として、アラートメッセージを受信したが、ＵＥがターゲットエリア５０２の外側にあったと決定することに起因してユーザに提供しなかった、外部セル内にある（例えば、その外部セルにキャンプオンまたはアクセスしている）ＵＥは、あるトリガイベントが生じたときのみ新たなロケーションを取得してもよい。可能なトリガイベントは、ＵＥロケーションの以前の決定に続く固定された周期的時間間隔（例えば、２−１０分）の満了、外部セルからのアラートメッセージの新たなブロードキャストの受信、または、ターゲットエリア５０２の外側にあるとＵＥによって決定された以前のロケーションから何らかのしきい値距離を超えてＵＥが移動したと（例えば、慣性センサを使用して）決定することを含む。これらのトリガイベントは、ＵＥにおいて構成されてもよく、および／または、アラートメッセージのブロードキャストにおける１つ以上のパラメータとしてネットワークによって（例えば、ＣＢＣによって）提供されてもよい。
【００４６】
[0057]ＵＥ挙動を簡略化し、トリガを改善するために、組み合わされたトリガを技術Ｔ１のために使用してもよく、それによって、外部セルからアラートメッセージの新たなブロードキャストを受信するＵＥは、以前のロケーションを取得してからの時間間隔が何らかのしきい値時間値（例えば、２−１０分）を超える場合かつその場合に限り、そのロケーションを再取得する。組み合わされたトリガは、警告イベントの期間が満了し、アラートメッセージがもはやブロードキャストされていない後に、ＵＥがそのロケーションを再取得し、場合によってはアラートメッセージをユーザに提供することを回避してもよい。組み合わされたトリガはまた、警告イベントの期間が満了する前に、ＵＥがそのロケーションを再取得することを中止することを回避してもよい。組み合わされたトリガはまた、ＵＥが最新のブロードキャストからアラートメッセージのコンテンツを再び取得することができるので、ＵＥがアラートメッセージのコンテンツを記憶する必要があることを回避してもよい。最低限、ＵＥは、警告タイプ（またはメッセージタイプ）、シリアル番号、外部セルの識別、および、ＵＥがそのロケーションを最後に取得したときを示すタイムスタンプを記憶するだけでよい。ＵＥが外部セルから新たなセルに移動する場合、新たなセルにおいて後で受信した場合に、および、新たなセルがアラートメッセージに対して内部セルであると示される場合に、ＵＥは無条件にアラートメッセージを表示してもよい。逆に、新たなセルがアラートメッセージに対して外部セルであると示される場合、ＵＥは、そのロケーションを再取得するために（例えば、したがって、しきい値時間が満了した後に新たな外部セルにおいてアラートメッセージの新たなブロードキャストを受信するときにのみ、そのロケーションを再取得するために）組み合わされたトリガ（または固定周期トリガイベントのような他のトリガイベント）を使用し続けることができる。代替的に、新たなセルが外部セルであると示される場合、ＵＥロケーションが最後に取得されてからの時間間隔にかかわらず、新たな外部セルにおいてアラートメッセージの第１のブロードキャストを受信したとき、ＵＥは、そのロケーションを無条件に再取得してもよい。新たな外部セル中の初期ロケーションがターゲットエリア５０２（およびボーダーエリア５０４）の外側にあるとＵＥによって決定される場合、ＵＥは、前に説明したように、そのロケーションを再取得するために新たな外部セル中の組み合わされたトリガ（または他の何らかのトリガイベント）を後で使用してもよい。組み合わされたトリガに対するしきい値時間はまた、例えば、ＵＥが任意の外部セルにおいてアラートメッセージの新たなブロードキャストを受信するときはいつでも、ロケーションをトリガするために使用される０値により、変動してもよい。
【００４７】
[0058]技術Ｔ１の１つの単純な変形では、ターゲットエリア５０２の外側にあると最初に決定したＵＥは、ＵＥがキャンプオンしているか、またはそうでなければ、アラートメッセージが受信された元の外部セルにアクセスしている間のみ、（例えば、固定された周期的トリガイベントまたは上記で説明した組み合わされたトリガイベントに基づいて）そのロケーションを周期的に再取得し、ＵＥがターゲットエリア５０２の内側に移動したか否かを決定してもよい。ＵＥが（例えば、セル変更またはハンドオーバーを介して）異なる新たなセルに移動し、アクセスし始める場合、ＵＥは、そのロケーションを再取得することを中止してもよく、アラートメッセージに関連する任意の以前に記憶された情報を削除してもよい。ＵＥは、次いで、アラートメッセージの任意の新たなブロードキャストを新たなアラートメッセージとして扱ってもよく、アラートメッセージを表示するか否かを決定するために、ここで説明するさまざまな技術を用いてもよい（例えば、新たなセルも外部セルである場合、および、ＵＥが最初にアラートメッセージを表示しない場合、技術Ｔ１を含んでいてもよい）。
【００４８】
[0059]技術Ｔ１の別の単純な変形では、ＵＥがターゲットエリア５０２の外側にあると決定することに起因して、ＵＥがアラートメッセージをユーザに提供しない場合、ＵＥは、外部セルから受信したアラートメッセージに関連する任意の記憶した情報を削除してもよい。次いで、ＵＥは、任意のセルからのアラートメッセージの任意の新たなブロードキャストを（例えば、複製としてではない）新たなアラートメッセージとして扱うことができ、アラートメッセージを表示するか否かを決定するために、ここで説明したさまざまな技術を用いてもよい（例えば、ＵＥが最初にアラートメッセージを表示しない場合、外部セルに対する技術Ｔ１を含んでいてもよい）。この変形は、アラートメッセージの新たなブロードキャストを受信することに対応する、周期的なロケーションに対するトリガイベントと同等であってもよい。
【００４９】
[0060]ここで技術Ｔ２と呼ばれるさらなる技術では、ＵＥがターゲットエリア５０２内にあるか否かをＵＥが決定することができないとき、ＣＭＳＰオペレータ（例えば、ＣＢＣ）は、ＵＥがアラートメッセージを外部セルに対するユーザに提供すべきか否かを示す表示（例えば、フラグまたはブール値）を提供してもよい。例えば、建物の内部、エレベータの内部、駐車場の内部、トンネルの内部、または、ＵＥにＧＰＳまたはＧＮＳＳポジショニング能力がない田舎のエリアにおいてのようないくつかのロケーションでは、（例えば、ＵＥがそのロケーションを決定することができないか、または、図５の距離Ｄよりも大きい可能性のあるエラーでそのロケーションを決定する場合）ＵＥがターゲットエリア５０２の内部または外部にあることを検証するのに十分正確にＵＥロケーションを決定することが可能でないかもしれない。このようなケースでは、アラートメッセージを常に表示するように、アラートメッセージを常に表示しないように、または、警告タイプもしくはメッセージタイプのような１つ以上のメッセージパラメータに基づいて、アラートメッセージを表示するように、ＵＥは構成されてもよい。しかしながら、このコンフィギュレーションは、政府または公衆安全機関の選好、あるいは、ＣＳＭＰオペレータの選好と常に一致するわけではない。例えば、あるアラートメッセージを常に表示し、あるあまり重要でないアラートメッセージを常に表示しないことが好ましいかもしれない。したがって、外部セルから受信したアラートメッセージのケースにおいてＵＥの正確なロケーションを決定することができないときに、ＵＥがアラートメッセージを表示すべきか、または表示すべきでないかを示す追加の表示をアラートメッセージのブロードキャストに含めることが有益であるかもしれない。ＵＥは、次いで、表示に基づいてアラートメッセージを表示してもしなくてもよい。追加の表示は、警告タイプ、メッセージタイプ、アラートメッセージのソース、および／または、アラートメッセージの重大性のような、アラートメッセージに対する１つ以上のパラメータに基づいて、ＣＭＳＰネットワークによって（例えば、ＣＢＣによって）決定されてもよい。
【００５０】
[0061]いくつかのインプリメンテーションでは、ＣＭＳＰネットワークオペレータは、ターゲットエリア５０２内にあるかまたはそれとオーバーラップするすべてのネットワークセルを内部セルとして分類することを選んでもよいことに留意されたい。したがって、例えば、図５のセル５０６−５１４および５２０ａおよび５２０ｂは、内部セルとして分類されてもよい。代替的に、アラートメッセージは、任意のセルが内部セルとしてＵＥによって扱われることになるという要件でブロードキャストされてもよい。このようなインプリメンテーションまたは要件で、ＵＥは、任意のセルからアラートメッセージのブロードキャストを受信するときにＵＥロケーションを取得する必要はなく、代わりに、（例えば、アラートメッセージが重複ではなく、ユーザがアラートメッセージのタイプを受信することをオプトアウトしなかったと仮定して）ユーザにアラートメッセージを常に提供してもよい。
【００５１】
[0062]いくつかのインプリメンテーションでは、ＣＭＳＰネットワークオペレータは、ターゲットエリア５０２内にあるかまたはそれとオーバーラップするすべてのネットワークセルを外部セルとして分類することを選んでもよいことにも留意されたい。したがって、例えば、図５のセル５０６−５１４および５２０ａおよび５２０ｂは、外部セルとして分類されてもよい。代替的に、アラートメッセージは、任意のセルが外部セルとしてＵＥによって扱われることになるという要件とともにブロードキャストされてもよい。このようなインプリメンテーションまたは要件で、ＵＥがターゲットエリア５０２内にあるか否かを決定するために、任意のセルからアラートメッセージのブロードキャストを受信するときにＵＥロケーションを取得することをＵＥは常に必要とするかもしれず、そうである場合、アラートメッセージをユーザに提供する。このインプリメンテーションまたは要件のために、ＵＥが外部セルにあるが、最初はターゲットエリアの外側にあり、後にターゲットエリアの内側に移動するときに、アラートメッセージがユーザに提供されることを確実にするために、ＵＥによってＵＥロケーションを周期的に再取得するための上記で説明した技術Ｔ１を使用をしてもよい。
【００５２】
[0063]図６は、ワイヤレス緊急アラートを提供するための例示的なメッセージフロー６００を示している。図４の例示的なネットワークアーキテクチャ４００について説明したように、（例えば、図４の連邦アラートゲートウェイ４０４に対応する）アラートゲートウェイ６１２は、アラート情報を加入者に提供するように選択したプロバイダ（すなわち、ＣＭＳＰ）にアラート情報を提供する。プロバイダは、アラートメッセージを特定の地理的エリア内の移動体デバイス（すなわち、ＵＥ６０２）に送信するために、さまざまなコンポーネント（例えば、ＣＢＥ６１０、ＣＢＣ６０８、ＭＭＥ６０６、および／またはｅＮＢ６０４）を利用してもよい。例えば、ＣＢＥ６１０、ＣＢＣ６０８、ＭＭＥ６０６、およびｅＮＢ６０４は、それぞれ、図４のＣＭＳＰゲートウェイ４０８、ＣＢＣ４１０ａ、ＭＭＥ４１４ａ（またはＭＭＥ４１４ｂ）およびｅＮＢ４２２ａ（またはｅＮＢ４２２ｂ−ｃのうちのいずれか）に対応してもよい。図６に含まれるコンポーネントは、異なる無線アクセスネットワークアーキテクチャに対して異なってもよい。例えば、５Ｇネットワークは、ＣＢＣ６０８、ＭＭＥ６０６、および、ｅＮＢ６０４の代わりに、それぞれ、ＣＢＣＦ４１０ｂ、ＡＭＦ４１６、および、ｎｇ−ｅＮＢ４３２またはｇＮＢ４３４のいずれかを含んでいてもよい。
【００５３】
[0064]図６の動作６１４において、アラート情報は、アラートゲートウェイ６１２からＣＢＥ６１０に送信されてもよい。例えば、アラート情報は、緊急事態に関する一般的な情報、アラートのタイプ、警告またはアラートメッセージ自体、および、緊急事態に関係する影響エリアを含むことができる。１つの例では、影響エリアは、マップ上のエリアの輪郭を描く多角形、円、または楕円として定義されてもよい。動作６１６において、アラート情報を受信することに応答して、ＣＢＥ６１０は、アラート情報を含む緊急ブロードキャスト要求信号（例えば、メッセージ）をＣＢＣ６０８に送信することができる。緊急ブロードキャスト要求信号は、警告タイプ、警告メッセージ、ブロードキャストのための期間および頻度、ならびに、影響エリアを記述するための１つ以上のフィールドを含むことができる。ここでは単一の影響エリアが参照するが、影響エリアは、２以上のオーバーラップしないエリアを含んでもよく、このケースでは、影響エリアの定義は、（例えば、２つ以上の多角形のような）２つ以上の別個の地理的形状の定義を含んでもよいことに留意されたい。
【００５４】
[0065]ステージ６１７ａにおいて、ＣＢＣ６０８は、影響を受けるセル（あるいは影響を受ける追跡エリアまたは影響を受ける緊急エリア）のリストを生成するために、受信した緊急ブロードキャスト要求情報を処理するように構成される。影響を受けるセル（あるいは影響を受ける追跡エリアまたは緊急エリア）は、そのカバレッジエリア（例えば、通常カバレッジエリアおよび／または拡張カバレッジエリア）が完全に影響エリア内にあるか、または、少なくとも部分的に影響エリア内にあるセル（あるいは追跡エリアまたは緊急エリア）を含んでいてもよい。警告タイプのような他の要因を使用して、影響を受けるセル（あるいは影響を受ける追跡エリアまたは影響を受ける緊急エリア）を決定するのを手助けすることもできる。ステージ６１７ｂにおいて、ＣＢＣ６０８は、セルおよびセルセクタのケースにおいて図３および図５について説明したように、影響を受けるセルおよび／またはセルセクタのそれぞれ（あるいは影響を受ける追跡エリアまたは緊急エリアのそれぞれ）が内部または外部セルあるいはセクタ（あるいは内部または外部追跡エリアあるいは緊急エリア）であるか否かを決定するように構成されてもよい。例えば、ステージ６１７ｂにおける決定は、影響を受けるセル（あるいは影響を受ける追跡エリアまたは緊急エリア）を内部セルの第１のサブセット（あるいは内部追跡エリアまたは緊急エリア）と外部セルの第２のサブセット（あるいは外部追跡エリアまたは緊急エリア）とに区分することを含んでいてもよい。前述のように、「内部セル」および「外部セル」という用語は、それぞれ、「ＵＥロケーション検証が必要とされないセル」および「ＵＥロケーション検証が必要とされるセル」のような、同等の定義によって置き換えられてもよい。
【００５５】
[0066]動作６１８において、ＣＢＣ６０８は、警告メッセージと配信属性（例えば、メッセージ識別子、シリアル番号、追跡エリアＩＤリスト、警告エリア、オペレーションおよびメンテナンスセンター（ＯＭＣ）識別（ＩＤ）、コンカレント警告メッセージ（ＣＷＭ）インジケータ、書込み置換警告表示、および／または、グローバルｅＮＢ  ＩＤのうちの１つ以上）を含む書込み置換警告要求メッセージをＭＭＥ６０６に送信するように構成されてもよい。追跡エリアＩＤリストは、ステージ６１７ａにおいて決定した影響を受けるセルのうちの１つ以上をそれぞれが含む（あるいは影響を受ける追跡エリアまたは影響を受ける緊急エリアのうちの１つ以上をそれぞれが含む、あるいはそれらと同じである）追跡エリアに対するＩＤを含んでいてもよく、警告メッセージを転送すべきｅＮＢ６０４のようなｅＮＢを決定するためにＭＭＥ６０６によって使用されてもよい。警告エリア（警告エリアリストとも呼ばれる）は、ステージ６１７ａにおいて決定した影響を受けるセル（あるいは影響を受ける追跡エリアまたは影響を受ける緊急エリア）のリストを含んでいてもよい。配信属性はまた、ブロードキャストの期間および／または頻度、影響エリアの定義、ならびに、フラグ、ブールパラメータ、または、ステージ６１７ａにおいて決定した影響を受けるセル（あるいは影響を受ける追跡エリアまたは影響を受ける緊急エリア）のそれぞれ（あるいは動作６１８によって伝えられるこれらのセル（あるいは追跡エリアまたは緊急エリア）の任意のサブセット）が、ステージ６１７ｂにおける決定にしたがう内部セルもしくは外部セル（あるいは内部または外部追跡エリアまたは緊急エリア）であるか否かを示すための他の表示を含んでいてもよい。１つの実施形態では、ＣＢＣ６０８はまた、技術Ｔ２について上記で説明したように、ＵＥが影響エリア内にあるか否かを決定することができないとき、ＵＥ６０２がアラートメッセージをユーザに提供すべきか否かに関する、各外部セル（あるいは各外部追跡エリアまたは緊急エリア）のための表示を配信属性に含んでもよい。例えば、表示は、警告タイプ、メッセージタイプ、アラートメッセージのソース、および／または、アラートメッセージの重大性のような、アラートメッセージに対する１つ以上のパラメータに基づいてもよい。
【００５６】
[0067]動作６１８の、ここでは実施形態Ｅ２と呼ばれる、１つの実施形態では、ＣＢＣ６０８は、内部−外部決定および／または基地局のタイプに基づいて、２つの別個の書込み−置換警告要求メッセージを生成するように構成されてもよい。例えば、図４の実施形態Ｅ１に関して上述したように、第１のメッセージ識別子を有する警告メッセージを転送する第１の書込み置換警告要求メッセージを使用して、内部セルおよびセルセクタ（または内部追跡エリアまたは緊急エリア）においてブロードキャストするための警告メッセージを転送することができる。次いで、第１のメッセージ識別子とは異なる第２のメッセージ識別子を有する警告メッセージを転送する第２の書込み置換警告要求メッセージを使用して、外部セルおよびセルセクタ（または外部追跡エリアもしくは緊急エリア）においてブロードキャストするための警告メッセージを転送することができる。次いで、ターゲットエリアは、第１の書込み置換警告要求メッセージではなく、第２の書込み置換警告要求メッセージ中に含まれてもよい。動作６１８の実施形態Ｅ２の別の例では、ＣＢＣ６０８は、外部セル（あるいは外部追跡エリアまたは緊急エリア）に対する影響エリア情報を含む第１の書込み置換警告要求メッセージと、影響エリアを含まない内部セル（あるいは内部追跡エリアまたは緊急エリア）の第２の書込み置換警告要求メッセージとを生成するように構成されてもよく、第１および第２の書込み置換警告要求メッセージは、同じメッセージ識別子を有してもよい。特定のセルまたはセルセクタ（あるいは特定の追跡エリアまたは緊急エリア）が内部セルであるか外部セルであるか（あるいは内部または外部追跡エリアまたは緊急エリア）を示すために、他のメッセージフィールドおよびメッセージング技術が使用されてもよい。例えば、警告メッセージは、第３世代パートナーシッププロジェクト（３ＧＰＰ）技術仕様書（ＴＳ）２３．０３８に定義されたコーディングスキームを使用および／または拡張することができる。
【００５７】
[0068]ＭＭＥ６０６が動作６１８において書込み置換警告要求メッセージ（または動作６１８の実施形態Ｅ２に対して動作６１８において送られた２つの書込み置換警告要求メッセージのいずれか）を受信した後、ＭＭＥ６０６は、動作６２０において、書込み置換警告確認メッセージをＣＢＣ６０８に返信してもよい。動作６２２において、書込み置換警告確認メッセージ（または動作６１８の実施形態Ｅ２のケースにおける２つの書込み置換警告確認メッセージ）を受信したことに応答して、ＣＢＣ６０８は、緊急ブロードキャスト応答メッセージをＣＢＥ６１０に返送することができる。動作６２４において、ＭＭＥ６０６は、警告メッセージを送信すべきｅＮＢ６０４および他のｅＮＢを決定するためにＣＢＣ６０８から受信した追跡エリアＩＤリストを利用した後に、書込み置換警告要求メッセージをｅＮＢ６０４に転送する。書込み置換警告メッセージは、影響エリア（例えば、多角形形状）の記述、影響を受けるセル（あるいは影響を受ける追跡エリアまたは緊急エリア)（例えば、動作６１８で受信した警告エリア）のリスト、および、内部−外部セル分類（あるいは内部−外部追跡エリアまたは緊急エリア分類）の表示を含むことができる。動作６２６において、書込み置換警告応答メッセージを受信したことに応答して、ｅＮＢ６０４によってサポートされるどのセルにおいて警告メッセージのブロードキャストが必要とされるかをｅＮＢ６０４は決定してもよい。ｅＮＢ６０４は、動作６２４において、ＭＭＥ６０６から受信した（例えば、警告エリアパラメータ中に含まれる）影響を受けるセル（あるいは影響を受ける追跡エリアまたは影響を受ける緊急エリア）のリストに基づいて、１つ以上のセルを決定してもよい。次いで、ｅＮＢ６０４は、動作６２６の一部として、例えば、動作６２４において受信した配信属性によって示される頻度でおよび期間の間、決定したセルにおいて警告メッセージをブロードキャストすることができる。いくつかの実施形態では、例えば、警告メッセージが最大ブロードキャストメッセージサイズ（例えば、最大ＳＩＢサイズ）を超える場合、ｅＮＢ６０４は、警告メッセージを２つ以上のメッセージセグメントにセグメント化してもよい。次いで、ｅＮＢ６０４は、各メッセージセグメントを別個のメッセージとして、例えば、ＳＩＢ１２のような別個のＲＲＣメッセージとしてブロードキャストすることができる。
【００５８】
[0069]特定のセルにおけるブロードキャスト配信の間に、ｅＮＢ６０４は、影響を受けるエリアを示すための影響エリアの定義または記述と、セル（またはｅＮＢ６０４）が内部セルとして分類されるか外部セルとして分類されるかに関する表示とを含むアラートメッセージを送信してもよい。１つの例では、内部−外部分類を示すために、フラグ、ブールパラメータ、または他の変数がアラートメッセージに含まれてもよい。別の例では、外部セルは、ブロードキャストアラートメッセージ中に影響エリアの定義を含めることによって示されてもよく、内部セルは、ブロードキャストアラートメッセージ中の影響エリアの定義を除外によって示されてもよい。さらなる例では、内部セルおよび外部セルは、ブロードキャストアラートメッセージに対する異なるメッセージ識別子の使用によって区別されてもよい。他の例では、アラートメッセージ内の他のフィールドを使用して、内部セルまたは外部セルのいずれかとしてのセルまたはセルセクタの分類を示すことができる。
【００５９】
[0070]動作６２４において送られた書込み置換警告要求メッセージが、影響を受ける追跡エリアまたは緊急エリアのリストと、各追跡エリアまたは緊急エリアに対する内部−外部分類とを含む場合、ｅＮＢ６０４は、各影響を受ける追跡エリアまたは緊急エリアの一部であるように構成された、ｅＮＢ６０４によってサポートされる１つ以上のセルを決定してもよく、各決定されたセルのに対する内部−外部分類が、対応する影響を受ける追跡エリアまたは緊急エリアに対する内部−外部分類と同じであると決定してもよい。
【００６０】
[0071]動作６２８において、ｅＮＢ６０４は、書込み置換警告応答メッセージ（または信号）をＭＭＥ６０６に送り返してもよい。いくつかのコンフィギュレーションでは、動作６２６および動作６２８は、同時に（またはほぼ同時に）実行されてもよい。動作６３０において、ｅＮＢ６０４からのセルブロードキャスト配信に応答して、ＵＥ６０２は、受信した内部−外部分類および／または影響エリアの定義に基づいて、ユーザアラートが必要であるか否かを決定する。動作６３０の一部として、ユーザアラートの必要性が決定される場合、ＵＥ６０２はユーザアラートを提供してもよい。例えば、内部セルまたはセルセクタからアラートを受信するＵＥ６０２は、現在ポジションを取得することなく、直ちにユーザアラートを実行してもよい。外部セルまたはセルセクタからアラートを受信するＵＥ６０２は、（例えば、図４に関して説明したように）その現在のロケーションを最初に決定または推定し、ＵＥ６０２が影響エリア内にあるかまたはあるかもしれないことを現在のロケーションが暗示する場合のみ、ユーザアラートを実行してもよい。例えば、（例えば、図２Ｂに関係付けて説明したように）ＵＥ６０２の推定ロケーションが影響エリアまたは影響エリアのボーダーエリア内にある場合、ＵＥ６０２が影響エリア中にあってもよいとＵＥ６０２は仮定してもよい。１つの実施形態では、上記の技術Ｔ２について説明したように、外部セルからＵＥ６０２によって受信したアラートメッセージは、ＵＥが影響エリア中にあるか否かを決定することができないとき、ＵＥがアラートメッセージをユーザに表示すべきか否かに関する表示を含んでいてもよい。この実施形態では、ＵＥ６０２が動作６３０で正確なロケーションを取得することができず、したがって、ＵＥ６０２が影響エリア中にあるか否かを決定することができない場合、ＵＥ６０２は、表示にしたがって、アラートメッセージをユーザに表示するか、または、表示しなくてもよい。いくつかのコンフィギュレーションでは、ユーザアラートは、ＵＥ６０２のディスプレイ上にテキストメッセージおよび／またはピクチャを表示すること、および／または、可聴アラームを鳴らすことを含んでいてもよい。いくつかのコンフィギュレーションでは、ユーザアラートは、ＵＥ６０２のディスプレイ上にマップ関連情報を表示することを含んでいてもよい。例えば、図２Ｂを参照すると、地図関連情報は、影響を受けるエリアを示すための多角形形状を含むことができる。
【００６１】
[0072]いくつかの実施形態では、ＵＥ６０２が外部セルまたはセルセクタからアラートメッセージを受信し、ＵＥ６０２が影響エリア中にないことを暗示するＵＥ６０２ついてのロケーションを取得することに起因して、動作６３０においてユーザアラートが必要とされないと決定する場合、ＵＥ６０２は、動作６３２において、ユーザアラートが必要とされるか否かを周期的に再決定してもよい。動作６３２はオプションであり、すべての実施形態で行われないかもしれない。動作６３２は、図５に関して上記で説明した技術Ｔ１の使用に対応してもよい。例えば、動作６３２の一部として、ＵＥ６０２は、ＵＥ６０２についてのロケーション推定を周期的に再取得し、ＵＥ６０２が影響エリアまたは影響エリアに対するボーダーエリアに移動したことを新たなロケーション推定が暗示するか否かを決定してもよく、これが暗示される場合、ユーザアラートを実行してもよい。図５に関して上記で説明したように、ＵＥ６０２は、動作６３２において、固定された周期的な間隔で、あるいは、アラートメッセージの新たなブロードキャストを受信すること、ＵＥ６０２に対する前のロケーションからのしきい値距離を超えてＵＥ６０２の移動を検出すること、または、ＵＥ６０２に対する前のロケーション推定を取得することに続くしきい値時間間隔の後にアラートメッセージの新たなブロードキャストを受信することのような、他のトリガイベントもしくは組み合わされたトリガイベントに基づいて、ロケーション推定を再取得してもよい。ＵＥ６０２がユーザアラートを実行するまで、動作６３２を実行するための最大期間に達するまで、ＵＥ６０２が新たなセルに移動してアクセスするまで、および／または、ＵＥ６０２において構成されてもよい何らかの時間間隔（例えば、１５−６０分）の間にアラートメッセージに対するブロードキャストがＵＥ６０２によってもはや受信されなくなるまで、ＵＥ６０２は動作６３２を実行し続けてもよい。ＵＥ６０２はまた、または代わりに、ＵＥ６０２が新たなセルに移動し、アクセスした後、動作６３２を実行し続けてもよく、ＵＥ６０２が新たなセルにおいてアラートメッセージの新たなブロードキャストを受信する場合およびとき、オプション的に、動作６３２の実行を中止してもよい。動作６３２を実行するために、ＵＥ６０２は、動作６２６に関して受信したアラートメッセージに対するコンテンツおよび／または１つ以上のパラメータ（例えば、警告またはメッセージタイプおよびシリアル番号）を記憶してもよい。
【００６２】
[0073]図１−６をさらに参照すると、図７は、警告メッセージをユーザに提供する、概して移動体デバイスにおいて実行される、方法７００のフローチャートを示している。しかしながらプロセス７００は、例に過ぎず、限定はしない。方法は、移動体デバイス２０８、ＵＥ４０５ａ−ｆのうちのいずれか、または、ＵＥ６０２のような移動体デバイスによって実行されてもよい。プロセス７００は、例えば、ステージを、追加、除去、再構成、組み合わせ、同時に実行をすることによって、および／または、単一のステージを複数のステージに分けることによって、変更することができる。ステージ７０４および７０６はオプションであり、したがって破線で示されている。
【００６３】
[0074]ステージ７０２において、方法７００は、ワイヤレスネットワーク（例えば、ＣＭＳＰネットワーク）中の基地局からブロードキャストされた警告メッセージを受信することを含み、警告メッセージは、メッセージ識別子と、内部または外部セル表示とを含む。内部セル表示または外部セル表示は、セルまたはセルセクタを指してもよく、セルまたはセルセクタにおいて、または、セルまたはセルセクタを使用して、警告メッセージが受信される。内部セル表示は、移動体デバイスのロケーション検証が必要とされないセルの表示を備えていてもよく、外部セル表示は、移動体デバイスのロケーション検証が必要とされるセルの表示を備えてもよい。基地局は、ｅＮＢ（例えば、ｅＮＢ４２２ａ−ｄのうちのいずれか）、ｎｇ−ｅＮＢ（例えば、ｎｇ−ｅＮＢ４３２）、ｇＮＢ（例えば、ｇＮＢ４３４）、あるいは、他の何らかの基地局またはアクセスポイント（例えば、ＩＥＥＥ８０２．１１ＷｉＦｉアクセスポイント、Ｂｌｕｅｔｏｏｔｈビーコン、または、ＵＭＴＳ無線アクセスをサポートするノードＢ）であってもよい。警告メッセージは、確立されたプロトコルに準拠してもよい（例えば、ＳＩＢ１２において無線リソース制御（ＲＲＣ）プロトコルを使用してブロードキャストされてもよい）。警告メッセージは、以下のような１つ以上の所定のデータフィールドまたはパラメータを含んでいてもよい：（ｉ）メッセージ識別子、（ｉｉ）警告メッセージに対するターゲットエリアまたは影響エリアに対応してもよい地理的エリアの（例えば、緯度および経度情報に基づく）定義、（ｉｉｉ）警告メッセージの一般的な性質、ソース、および、重大性を示すことができる警告タイプまたはメッセージタイプ、（ｉｖ）警告メッセージを識別し、重複メッセージ検出を可能にできるシリアル番号、ならびに、（ｖ）いくつかのインプリメンテーションでは、３６０文字までの読取可能テキスト文字を備えることができるメッセージコンテンツ。いくつかのインプリメンテーションでは、警告メッセージは、ステージ７０２において、２つ以上の別個のセグメント中で受信されてもよく（例えば、各セグメントが基地局によって別個のＳＩＢ１２メッセージでブロードキャストされる）、このケースでは、方法７００は、警告メッセージを取得するためにセグメントを再アセンブルすることをさら含んでもよい。地理的エリアは、多角形、円、楕円、または、他の何らかの２次元エリア、あるいは、場合によっては（例えば、高層ビルの上層階に対応するような）３次元体積を含むか、または備えてもよい。１つの例では、警告メッセージは、内部セル表示または外部セル表示を伝えるための１つ以上のデータ要素／シンボル（例えば、フラグまたはブール値）を含んでいてもよい。１つの例では、内部セル表示または外部セル表示は、警告メッセージ中の地理的エリアの定義の有無によって推測されてもよい（例えば、地理的エリアの定義がない場合は内部セルを意味し、定義がある場合は外部セルを意味する）。１つの例では、メッセージ識別子は、内部セル表示または外部セル表示を推測するために使用されてもよい。例えば、図４に関して実施形態Ｅ１について説明したように、特定のメッセージ識別は内部セルを示してもよく、別の異なるメッセージ識別子は外部セルを示してもよい。態様において、ステージ７０２は、図６に関する動作６２６に対応してもよい。
【００６４】
[0075]ステージ７０４において、方法は、警告メッセージが重複しないことを検証することをオプション的に含んでいてもよい。例えば、方法７００を実行する移動体デバイスは、同じ警告メッセージが以前に受信されなかったこと、および／またはユーザに示されなかったことを検証するように構成されてもよい。例えば、移動体デバイスは、ステージ７０２において受信されたのと同じメッセージ識別子および同じシリアル番号を含む警告メッセージが、定義された時間期間内に以前に受信されなかったことを検証するように構成されてもよい。重複するケースでは、警告メッセージは破棄されてもよい。
【００６５】
[0076]ステージ７０６において、方法は、ユーザが警告メッセージを受信することをオプトアウトしたか否かを決定することをオプション的に含んでいてもよい。例えば、移動体デバイスのユーザは、メッセージ識別子によって示されるようないくつかの警告メッセージタイプの表示を選択的にオプトアウトするための表示を提供してもよい。大統領警告メッセージ識別子のような他の警告タイプは、必須であると見なされ、常にユーザに表示されてもよい。
【００６６】
[0077]ステージ７０８において、方法は、内部セル表示の検出に基づいて、警告メッセージのコンテンツをユーザに提供することを含む。１つの実施形態では、ステージ７０６においてユーザが警告メッセージを受信することをオプトアウトしていないとオプション的に決定すると、移動体デバイスは、内部セル表示の検出に基づいて、警告メッセージのコンテンツをユーザに提供するように構成されてもよい。警告メッセージは、例えば、内部セル表示として移動体デバイスによって解釈されてもよいフラグまたは他の変数を含んでいてもよい。別の例では、警告メッセージは、内部セルの表示として解釈されてもよい地理的エリアの定義を含まなくてもよい。別の例では、メッセージ識別子は、内部セルの表示を推測するために使用されてもよい。内部セルに対する警告メッセージを受信することの含意は、移動体デバイスが、影響を受けるエリア内に現在位置付けられており、したがって、現在のロケーションを決定する必要なくアラートを提供すべきであることである。警告メッセージのコンテンツは、移動体デバイスがアラートをユーザに提供することを可能にするために使用されてもよいデータの少なくとも一部分を含んでいてもよい。例えば、コンテンツは、テキストメッセージングまたは地図情報（例えば、境界線）に関連付けられたテキストまたは他の機械読取可能コードを含んでいてもよい。アラートは、１人以上のユーザに情報を提供するように構成された、任意の形態の視覚、音声、触覚、または無線出力（例えば、周辺デバイスへのＢＬＵＥＴＯＯＴＨ（登録商標）、ｗｉ−ｆｉメッセージ）であってもよい。１つの態様では、ステージ７０８は、図６の動作６３０の一部に対応してもよい。
【００６７】
[0078]いくつかの態様または実施形態では、方法７００は追加のアクションを含んでいてもよい。１つの態様では、方法は、警告メッセージ中の外部セル表示を検出することと、外部セル表示を検出することに基づいて移動体デバイスに対するロケーション推定を決定することと、ロケーション推定に基づいて移動体デバイスが地理的エリア内にあるか地理的エリア外にあるかを決定することとをさらに含む。この態様では、方法は、移動体デバイスが地理的エリア内にあると決定することと、移動体デバイスが地理的エリア内にあると決定することに基づいて、警告メッセージのコンテンツをユーザに提供することとをさらに含んでいてもよい。１つの例として、移動体デバイスは、ＧＰＳ、Ａ−ＧＰＳ、ＧＮＳＳ、Ａ−ＧＮＳＳ、ＷＬＡＮ、ＯＴＤＯＡ、ＥＣＩＤ、および／またはセンサーベースのポジション方法を使用して、ロケーション推定を決定してもよい。この態様では、移動体デバイスが地理的エリア内にあると決定することは、ロケーション推定が地理的エリア内にあると決定することと、ロケーション推定が地理的エリア外のしきい値距離内（例えば、図５に例示するようなボーダーエリア内）にあると決定することと、あるいは、ロケーション推定が地理的エリア内にあるか、または、地理的エリア外のしきい値距離内のいずれかにあると決定することとのうちの少なくとも１つを含んでいてもよい。１つの例として、警告メッセージは、しきい値距離を含んでもよく、または、しきい値距離は、移動体デバイスにおいて構成されてもよい。しきい値距離は、図５中の距離Ｄに対応してもよい。この態様では、ロケーション推定はエラーコンポーネントを含んでいるかもしれず、移動体デバイスが地理的エリア内にあると決定することは、移動体デバイスが（例えば、９５％または９８％のような）しきい値信頼性で地理的エリア内にあると決定することを含んでいてもよい。方法が、移動体デバイスが地理的エリアの外側にあると決定することと、移動体デバイスに対する新たなロケーション推定を周期的に再取得することと、（例えば、図６の動作６３２について説明したように）新たなロケーション推定に基づいて、移動体デバイスが地理的エリアの内側に移動したか否かを決定することとをさらに含む追加の実施形態を、この態様は含んでいてもよい。この追加の実施形態では、方法はまた、移動体デバイスが地理的エリア内に移動したと決定することと、移動体デバイスが地理的エリア内に移動したと決定することに基づいて、警告メッセージのコンテンツをユーザに提供することとを含んでいてもよい。この追加の実施形態では、新たなロケーション推定を周期的に再取得することは、トリガイベントの発生に続いて新たなロケーション推定を再取得することを含んでいてもよく、トリガイベントは、周期的間隔の満了、移動体デバイスに対する前のロケーションからのしきい値距離を越える移動体デバイスの移動の決定、警告メッセージの新たなブロードキャストを受信すること、または、移動体デバイスに対する前のロケーション推定を取得することに続くしきい値時間間隔の満了後に警告メッセージの新たなブロードキャストを受信することのうちの少なくとも１つを含んでいてもよい。追加の実施形態はまた、最大期間の満了、警告メッセージのブロードキャストの受信の中止、または、セル変更もしくは新たなセルへのハンドオーバーの実行のうちの少なくとも１つに続いて、新たなロケーション推定を再取得することを中止することを備えてもよい。追加の実施形態は、図５に関係付けて上記で説明した技術Ｔ１のうちの１つ以上、および／または、図６について上記で説明した動作６３２に対応してもよい。この態様の別の実施形態では、ステージ７０２において（外部セルから）受信した警告メッセージは、移動体デバイスが地理的エリア内にあるのか地理的エリア外にあるのかを決定することができないとき、移動体デバイスが警告メッセージをユーザに提供すべきであるのか提供すべきでないのかに関する表示をさらに含む。この他の実施形態では、（例えば、移動体デバイスによって取得されたロケーション推定が正確でないか、または、移動体デバイスがロケーション推定を取得することができないことから）移動体デバイスが地理的エリア内にあるかもしれないか、または、ないかもしれないかのいずれかであると移動体デバイスは決定してもよい。移動体デバイスは、次いで、移動体デバイスが警告メッセージを提供すべきであることを表示が示すとき、警告メッセージのコンテンツをユーザに提供してもよく、移動体デバイスが警告メッセージを提供すべきでないことを表示が示すとき、警告メッセージのコンテンツをユーザに提供しなくてもよい。
【００６８】
[0079]図１−６をさらに参照して、図８は、ネットワークノードにおいてワイヤレスネットワーク（例えば、ＣＭＳＰネットワーク）によってサービス提供される、移動体デバイスに警告メッセージを提供するための方法８００のフローチャートを示している。方法８００は、ＣＢＣ（例えば、ＣＢＣ４１０ａ、ＣＢＣＦ４１０ｂ、またはＣＢＣ６０８）、ＣＢＥ（例えば、ＣＢＥ４０８、ＣＢＥ６１０）、あるいは、ＭＭＥ（例えば、ＭＭＥ４１４またはＭＭＥ６０６）またはＡＭＦ（例えば、ＡＭＦ４１６）のなどの他の何らかのノードのような、ワイヤレスネットワークに対する第１のネットワークノードによって実行されてもよい。しかしながらプロセス８００は、例に過ぎず、限定はしない。方法８００は、例えば、ステージを、追加、除去、再構成、組み合わせ、同時に実行をすることによって、および／または、単一のステージを複数のステージに分けることによって変更することができる。
【００６９】
[0080]ステージ８０２において、方法８００は、ゲートウェイノードからアラートメッセージを受信することを含み、アラートメッセージは、少なくとも１つのメッセージパラメータを含み、少なくとも１つのメッセージパラメータはターゲット地理的エリアの定義を含む。例えば、ゲートウェイノードは、ＣＭＳＰゲートウェイまたはＣＢＥ（例えば、ＣＭＳＰゲートウェイ４０８）または連邦アラートゲートウェイ（例えば、連邦アラートゲートウェイ４０４）であってもよい。少なくとも１つのメッセージパラメータは、緊急情報に関係付けられてもよく、また、警告タイプ、警告メッセージコンテンツ、および、時間期間を含んでもよい。ターゲット地理的エリアは、多角形、円、楕円、または、他の何らかの２次元エリア、あるいは、場合によっては（例えば、高層ビルの高層階に対応するような）３次元体積によって定義されてもよい。ターゲット地理的エリアの定義はまた、図５に関して説明したような境界エリアまたはボーダーエリアの表示を含んでいてもよい。態様において、ステージ８０２は、図６に関する動作６１６に対応してもよい。
【００７０】
[0081]ステージ８０４において、方法８００は、ターゲット地理的エリアに基づいて、ワイヤレスネットワークに対する複数のセルを決定することを含む。例えば、ワイヤレスネットワークに対するセルは、第１のネットワークノードに記憶されるか、または第１のネットワークノードにアクセス可能であってもよい（例えば、テストによるドライブ、ワイヤレスネットワーク中のＵＥからの信号レベル報告、または無線伝搬計算によって決定されるような）既知のカバレッジエリアを有してもよい。各セルのカバレッジエリアは、図５中に図示したような通常のカバレッジエリアおよび拡張カバレッジエリアの表示を含んでいてもよい。第１のネットワークノードは、（例えば、図５に関係付けて説明したように）どのセルがターゲット地理的エリア内のそれらのそれぞれのカバレッジエリアのうちの少なくとも一部分を有し、したがってターゲット地理的エリアとオーバーラップするかを決定することによって、複数のセルを決定してもよい。１つの態様では、ステージ８０４は、図６のステージ６１７ａに対応してもよい。
【００７１】
[0082]ステージ８０６において、方法８００は、複数のセル中の各セルに対するカバレッジエリアに基づいて、複数のセルを内部セルのサブセットおよび外部セルのサブセットに区分することを含む。例えば、複数のセルを区分することは、各セルのカバレッジエリアが（ｉ）完全にターゲット地理的エリア内にあるか、または（ｉｉ）部分的にターゲット地理的エリア内にあり、ターゲット地理的エリアの外側にしきい値距離を超えて伸張しないときおよびそのときにのみ、複数のセル中の各セルを内部セルのサブセットに割り当てることを含んでいてもよい。各セルのカバレッジエリアは、通常のカバレッジエリア（例えば、移動体デバイスがセルに対する基地局と２方向シグナリングを交換することが可能であってもよいカバレッジエリア）であってもよく、または、拡張カバレッジエリア（例えば、通常のカバレッジエリアと、移動体デバイスが短い間隔を超えてセルに対して基地局と２方向シグナリングを交換することが可能でないかもしれない追加のエリアとを含むエリア）であってもよい。ステージ８０６についての条件の例（ｉ）は、セル５０８のカバレッジエリアが、図５について説明したような拡張カバレッジエリアよりもむしろ通常カバレッジエリアに対応するケースにおいて、図５のセル５０６およびセル５０８によって提供される。ステージ８０６についての条件の例（ｉｉ）は、セル５０８のカバレッジエリアが、図５について説明したような通常のカバレッジエリアよりもむしろ拡張カバレッジエリアに対応するケースにおいて、図５のセル５１０およびセル５０８によって提供される。しきい値距離は、第１のネットワークノードに知られてもよく（例えば、第１のネットワークノードにおいて構成されてもよく）、または、ステージ８０２において受信した少なくとも１つのメッセージパラメータ中に含まれてもよい。しきい値距離は、いくつかの実施形態では図５の距離Ｄに、および／または、図３および図５に図示したようなボーダーエリアに対応してもよい。態様において、しきい値距離はゼロであってもよい。１つの態様では、ステージ８０６は、図６のステージ６１７ｂに対応してもよい。
【００７２】
[0083]ステージ８０８において、方法８００は、第１の警告メッセージをワイヤレスネットワークに対する第２のネットワークノードに送ることを含み、第１の警告メッセージは、アラートメッセージに基づいており、第１の警告メッセージは、内部セルのサブセット中の各セルの識別を含む。例えば、第１の警告メッセージは、ステージ８０６において決定された内部セルのサブセットの識別を少なくとも含む警告エリア（または警告エリアリスト）を含んでいてもよい。例えば、警告メッセージは、内部セルのサブセット中の各セルに対する識別子（例えば、セルグローバル識別子）と、場合によっては、各セルが内部セルであるという表示とを含んでいてもよい。１つの態様では、内部セルの表示は、移動体デバイスのロケーション検証が必要とされないセルの表示を備えてもよい。１つの態様では、第２のネットワークノードは、ＭＭＥ（例えば、ＭＭＥ４１４ａまたはＭＭＥ４１４ｂ）またはＡＭＦ（例えば、ＡＭＦ４１６）である。態様において、ステージ８０８は、図６に関する動作６１８に対応してもよい。
【００７３】
[0084]ステージ８１０において、方法８００は、第２の警告メッセージをワイヤレスネットワークに対する第２のネットワークノードに送ることを含み、第２の警告メッセージは、アラートメッセージに基づいており、第２の警告メッセージは、ターゲット地理的エリアの定義と、外部セルのサブセット中の各セルの識別を含んでいる。例えば、第２の警告メッセージは、ステージ８０６において決定した外部セルのサブセットの識別を少なくとも含む警告エリア（または警告エリアリスト）を含んでいてもよい。例えば、警告メッセージは、外部セルのサブセット中の各セルに対する識別子（例えば、セルグローバル識別子）と、場合によっては、各セルが外部セルであるという表示とを含んでいてもよい。１つの態様では、外部セルの表示は、移動体デバイスのロケーション検証が必要とされるセルの表示を備えてもよい。態様において、ステージ８１０は、図６に関する動作６１８に対応してもよい。
【００７４】
[0085]方法８００は、追加の態様を含んでいてもよい。１つの態様では、第１の警告メッセージおよび第２の警告メッセージは、（例えば、第２のネットワークノードにのみ一度送られてもよい）同じ警告メッセージである。この態様では、内部セルのサブセット内の各セルの識別は、内部セルの表示を含んでいてもよく、外部セルのサブセット中の各セルの識別は、外部セルの表示を含んでいてもよい。例えば、内部セルの表示および／または外部セルの表示は、フラグ、ブール値、または、他の何らかのパラメータを含んでいてもよい。
【００７５】
[0086]別の態様では、第１の警告メッセージは第１のメッセージ識別子を含み、第２の警告メッセージは第２のメッセージ識別子を含み、第１のメッセージ識別子および第２のメッセージ識別子は、ステージ８０２において受信した少なくとも１つのメッセージパラメータに基づいており、異なる。例えば、この態様は、図６について説明したような実施形態Ｅ１に対応してもよい。
【００７６】
[0087]さらなる態様では、第２のネットワークノードは、例えば、図６の動作６２４におけるように、第１の警告メッセージを内部セルのサブセットに関係付けられている第１の複数の基地局に転送し、第２の警告メッセージを外部セルのサブセットに関係付けられている第２の複数の基地局に転送する。次いで、第１の複数の基地局は、例えば図６の動作６２６におけるように、内部セルのサブセット中の各セルにおいて第１の警告メッセージをブロードキャストすることができ、第２の複数の基地局は、外部セルのサブセット中の各セルにおいて第２の警告メッセージをブロードキャストすることができる。
【００７７】
[0088]図１−６をさらに参照して、図９は、ワイヤレスネットワーク（例えば、ＣＭＳＰネットワーク）に対する基地局において、警告メッセージを移動体デバイスに提供するための方法９００のフローチャートを示している。方法９００は、ｅＮＢ（例えば、ｅＮＢ４２２ａ−ｄのうちのいずれかまたはｅＮＢ６０４）、ｎｇ−ｅＮＢ（例えば、ｎｇ−ｅＮＢ４３２）、ｇＮＢ（例えば、ｇＮＢ４３４）、または、他の何らかの基地局もしくはアクセスポイント（例えば、ＩＥＥＥ８０２．１１ＷｉＦｉアクセスポイント、Ｂｌｕｅｔｏｏｔｈビーコン、またはＵＭＴＳ無線アクセスをサポートするノードＢ）のような基地局によって実行されてもよい。しかしながら、方法９００は例に過ぎず、限定はしない。プロセス９００は、例えば、ステージを、追加、除去、再構成、組み合わせ、同時に実行をすることによって、および／または、単一のステージを複数のステージに分けることによって、変更することができる。
【００７８】
[0089]ステージ９０２において、方法９００は、ワイヤレスネットワークに対するネットワークノードから第１の警告メッセージを受信することを含み、第１の警告メッセージは、基地局に対する少なくとも１つのセルの識別と、少なくとも１つのセルが内部セルであるか外部セルであるかの第１の表示とを含む。１つの態様では、ネットワークノードは、ＡＭＦ（例えば、ＡＭＦ４１６）であり、基地局は、ｎｇ−ｅＮＢ（例えば、ｎｇ−ｅＮＢ４３２）またはｇＮＢ（例えば、ｇＮＢ４３４）である。別の態様では、ネットワークノードはＭＭＥ（例えば、ＭＭＥ４１４ａ、ＭＭＥ４１４ｂ、または、ＭＭＥ６０６）であり、基地局は、ｅＮＢ（例えば、ｅＮＢ４２２ａ−ｄのうちの１つまたはｅＮＢ６０４）である。１つの態様では、少なくとも１つのセルの識別は、警告エリアまたは警告エリアリストの一部であってもよく、セルグローバル識別子のような少なくとも１つのセルに対する識別子を備えてもよい。１つの態様では、少なくとも１つのセルが内部セルであるか外部セルであるかの第１の表示は、フラグの有無、ブール値、または、第１の警告メッセージに対するターゲット地理的エリアの定義の有無を備えてもよい。態様において、ステージ９０２は、図６の動作６２４に対応してもよい。
【００７９】
[0090]ステージ９０４において、方法は、少なくとも１つのセルにおいて第２の警告メッセージをブロードキャストすることを含み、第２の警告メッセージは、第１の警告メッセージに基づいており、第２の警告メッセージは、少なくとも１つのセルが内部セルであるか外部セルであるかの第２の表示を含み、第２の表示は、第１の表示に基づいている。１つの態様では、第１の表示および第２の表示は、両方とも内部セルの表示、または、両方とも外部セルの表示である。例えば、第２の表示は、第１の表示と同じであってもよく、両方の表示は、フラグまたはブール値を使用することのような、内部セルまたは外部セルの明示的な表示を備えてもよい。１つの態様では、第１の警告メッセージは、ターゲット地理的エリアの定義（例えば、多角形、円、または楕円）を含む。この態様では、方法は、第１の表示が外部セルの表示であるとき、ターゲット地理的エリアの定義を第２の警告メッセージ中に含めることをさらに含んでいてもよい。この態様では、本方法はまた、第１の表示が内部セルの表示であるとき、第２の警告メッセージ内のターゲット地理的エリアの定義を除外することを含んでいてもよい。この態様では、第２の表示は、第２の警告メッセージにおけるターゲット地理的エリアの定義の包含または除外を含んでいてもよい。１つの態様では、ステージ９０４において第２の警告メッセージをブロードキャストすることは、第２の警告メッセージを２つ以上のメッセージセグメントにセグメント化することと、例えば、ＳＩＢ１２などのＲＲＣメッセージを使用して、各メッセージセグメントを別個のメッセージとしてブロードキャストすることとを含んでいてもよい。態様において、ステージ９０４は、図６に関する動作６２６に対応してもよい。
【００８０】
[0091]上記の例は、ＬＴＥおよび５Ｇアーキテクチャに関連しておおまかに説明してきたが、本開示はこのように限定されない。例示的なアクセスネットワークによって用いられる変調および多元接続スキームは、配備されている特定の電気通信標準規格に依存して変化してもよい。例えば、ＬＴＥアプリケーションでは、周波数分割デュプレクス（ＦＤＤ）および時分割デュプレクス（ＴＤＤ）の両方をサポートするために、ＯＦＤＭがＤＬ上で使用され、ＳＣ−ＦＤＭＡがＵＬ上で使用される。これらの概念は、他の変調および多元接続技術を用いる他の電気通信標準規格に拡張されてもよい。例として、これらの概念は、エボリューションデータオプティマイズド（ＥＶ−ＤＯ）またはウルトラモバイルブロードバンド（ＵＭＢ）に拡張されてもよい。ＥＶ−ＤＯおよびＵＭＢは、ＣＤＭＡ２０００ファミリー標準規格の一部として、３世代パートナーシッププロジェクト２（３ＧＰＰ２）によって公表されたインターフェース標準規格であり、移動局にブロードバンドインターネットアクセスを提供するためにＣＤＭＡを用いる。これらの概念はまた、広帯域ＣＤＭＡ（Ｗ−ＣＤＭＡ（登録商標））、および、ＴＤ−ＳＣＤＭＡのようなＣＤＭＡの他の変形例を用いるユニバーサル地上無線アクセス（ＵＴＲＡ）、ＴＤＭＡを用いる移動体通信のためのグローバルシステム（ＧＳＭ（登録商標））、ＯＦＤＭＡを用いる、進化型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されることもできる。ＵＴＲＡ、Ｅ−ＵＴＲＡ、ＵＭＴＳ、ＬＴＥ、およびＧＳＭは、３ＧＰＰの組織からの文書中に説明されている。ＣＤＭＡ２０００およびＵＭＢは、３ＧＰＰ２の組織からの文書中に説明されている。用いられる実際のワイヤレス通信標準規格および多元接続テクノロジーは、特定の用途およびシステムに課せられる全体的な設計制約に依存するだろう。
【００８１】
[0092]図１０を参照すると、例示的なワイヤレスノード１０００概略ダイヤグラムが示されている。ワイヤレスノード１０００は、基地局、アクセスポイント、またはサーバであってもよく、例えば、図１、２Ａ、３、４、５および６中に描いたさまざまなノード（例えば、基地局、ｅＮＢ、ｎｇ−ｅＮＢ、ｇＮＢ）、または、ここで説明した他のもの（例えば、ＣＢＥ、ＣＢＣ、ＭＭＥ）のうちのいずれかと同様であってもよく、これらと同様の機能性を有するように構成されてもよい。例えば、ワイヤレスノード１０００は、ｅＮＢ４２２ａ−ｄ、ｎｇ−ｅＮＢ４３２、ｇＮＢ４３４、ＣＢＣ４１０ａ、ＣＢＣＦ４１０ｂ、ＣＢＥ４０８、ｅＮＢ６０４、ＣＢＣ６０８、ＣＢＥ６１０、ＭＭＥ４１４ａ、ＭＭＥ４１４ｂ、ＡＭＦ４１６、または、ＭＭＥ６０６のうちのいずれかに対応してもよい。ワイヤレスノード１０００は、１つ以上の通信モジュール１１１０ａ−ｎを含んでいてもよく、これは、ワイヤレスデバイスと通信するために、１つ以上のアンテナ１１１６ａ−ｎに電気的に結合されてもよい。通信モジュール１０１０ａ−１０１０ｎのそれぞれは、信号（例えば、フレーム中に構成されてもよいダウンリンクメッセージ）を送るためのそれぞれの送信機１０１２ａ−ｎと、オプション的に（例えば、アップリンク通信を受信し処理するように構成されたノードのための）それぞれの受信機１０１４ａ−ｎとを含んでいてもよい。実現されるノードが送信機および受信機の両方を含む実施形態では、送信機および受信機を備える通信モジュールは、トランシーバと呼ばれることがある。ノード１０００はまた、ワイヤライン手段を介して（例えば、クエリおよび応答を送ることおよび受信することによって）、他のネットワークノードと通信するためのネットワークインターフェース１０２０を含んでいてもよい。例えば、ノード１０００は、１つ以上のコアネットワークノード（例えば、図４または図６中に示した他のノードおよび要素のうちのいずれか）との通信を促進するために、ゲートウェイ、または、ネットワークの他の適切なデバイスと（例えば、ワイヤードまたはワイヤレスバックホール通信を介して）通信するように構成されてもよい。追加および／または代替として、他のネットワークノードとの通信もまた、通信モジュール１１１０ａ−ｎおよび／またはそれぞれのアンテナ１１１６ａ−ｎを使用して実行されてもよい。
【００８２】
[0093]ノード１０００はまた、ここで説明した実施形態とともに使用されてもよい他のコンポーネントを含んでいてもよい。例えば、ノード１０００は、いくつかの実施形態では、他のノードとの通信（例えば、メッセージを送ることおよび受信すること）を管理し、通信信号を生成し、ここで説明したさまざまなプロセスおよび方法を実現するための機能性を含む、他の関連機能性を提供するためのプロセッサ（制御装置とも呼ばれる）１０３０を含んでいてもよい。したがって、例えば、ノード１０００の他のモジュール／ユニットと組み合わせて、ノード１０００に、基地局として機能するときに、内部−外部セル表示および地理的エリアを含む、基地局に対する少なくとも１つのセルのためのアラートメッセージを生成させるように、プロセッサは構成されてもよい。
【００８３】
[0094]プロセッサ１０３０は、メモリ１０４０に結合されてもよく（またはさもなければそれと通信してもよく）、これは、ノード１０００の動作を制御することを促進するための（ソフトウェアのハードウェアにおいて実現される）１つ以上のモジュールを含んでいてもよい。例えば、メモリ１０４０は、ノード１０００の動作を実行するために必要とされるさまざまなアプリケーションのためのコンピュータコードを有するアプリケーションモジュール１０４６を含んでいてもよい。例えば、プロセッサ１０３０は、（例えば、アプリケーションモジュール１０４６、またはメモリ１０４０中の他の何らかのモジュールを介して提供されるコードを使用して）１つ以上の内部−外部分類を含むアラートメッセージをブロードキャストするように構成されてもよい。ワイヤレスノード１０００はまた、いくつかのインプリメンテーションでは、ワイヤレスノード１０００と通信している（または、ワイヤレスノード１０００に結合されたサーバと通信している）複数のワイヤレスデバイス（クライアント）のために、ロケーションデータサービスを実行するか、または他のタイプのサービスを実行し、このような複数のワイヤレスデバイスにロケーションデータおよび／または支援データを提供するように構成されてもよい。例えば、ワイヤレスノード１０００は、追跡エリアＩＤリスト、または受信した入力に基づいて影響を受けるセルのリストを生成するように構成されてもよい。
【００８４】
[0095]図１１は、ここで説明したさまざまな手順および技術を利用できる例示的なユーザ機器（ＵＥ）１１００のブロックダイヤグラムである。ＵＥ１１００は、インプリメンテーションおよび／または機能性において、ここで説明する他の移動体デバイスのうちのいずれかと同様または同じであってもよい。例えば、ＵＥ１１００は、移動体デバイス２０８、ＵＥ４０５ａ−ｆ、またはＵＥ６０２のうちのいずれかに対応してもよい。さらに、図１１中に図示するインプリメンテーションはまた、基地局（例えば、ｇＮＢ１１０、ｎｇ−ｅＮＢ４、ｅＮＢ等）、ロケーションサーバ、ならびに、図１−６について説明し、図示した他のコンポーネントおよびデバイスのような、このようなノードおよびデバイスを含む、本開示全体にわたって図示したノードおよびデバイスのうちのいくつかを少なくとも部分的に実現するために使用されてもよい。
【００８５】
[0096]ＵＥ１１００は、プロセッサ１１１１（またはプロセッサコア）およびメモリ１１４０を含む。ここで説明するように、ＵＥ１１００は、ワイヤレスアラートメッセージを受信し、表示するように構成される。ＵＥ１１００は、オプション的に、パブリックバス１１０１またはプライベートバス（図示せず）によってメモリ１１４０に動作可能に接続される信頼できる環境を含んでいてもよい。ＵＥ１１００はまた、通信インターフェース１１２０と、ワイヤレスネットワークを通してワイヤレスアンテナ１１２２を介して（ＳＩＢ１２メッセージを含んでいてもよい）ワイヤレス信号１１２３を送受信するように構成されたワイヤレストランシーバ１１２１とを含んでいてもよい。ワイヤレストランシーバ１１２１は、ワイヤレスネットワーク中の基地局からブロードキャストされた警告メッセージを受信する手段であってもよい。ワイヤレストランシーバ１１２１は、通信インターフェース１１２０を介してバス１１０１に接続される。ここで、ＵＥ１１００は、単一のワイヤレストランシーバ１１２１を有するものとして図示される。しかしながら、ＵＥ１１００は、代替として、ＷｉＦｉ、ＣＤＭＡ、広帯域ＣＤＭＡ（ＷＣＤＭＡ（登録商標））、ロングタームエボリューション（ＬＴＥ）、５Ｇ、ＮＲ、Ｂｌｕｅｔｏｏｔｈ（登録商標）短距離ワイヤレス通信テクノロジー等のような複数の通信標準規格をサポートするために、複数のワイヤレストランシーバ１１２１および／または複数のワイヤレスアンテナ１１２２を有することができる。
【００８６】
[0097]通信インターフェース１１２０および／またはワイヤレストランシーバ１１２１は、複数の搬送波（異なる周波数の波形信号）上の動作をサポートしてもよい。マルチ搬送波送信機は、複数の搬送波上で同時に変調信号を送信できる。変調された各信号は、コード分割多元接続（ＣＤＭＡ）信号、時分割多元接続（ＴＤＭＡ）信号、直交周波数分割多元接続（ＯＦＤＭＡ）信号、単一搬送波周波数分割多元接続（ＳＣ−ＦＤＭＡ）信号、等であってもよい。各変調された信号は、異なる搬送波上で送られてもよく、パイロット、制御情報、オーバーヘッド情報、データ等を搬送してもよい。
【００８７】
[0098]ＵＥ１１００はまた、ユーザに警報するように構成されたユーザインターフェース１１５０（例えば、ディスプレイ、キーボード、タッチスクリーン、グラフィカルユーザインターフェース（ＧＵＩ）、触覚センサ、音声出力）を含んでいてもよい。例えば、ユーザインターフェース１１５０は、テキストメッセージングまたは地図情報（例えば、境界線）の形態でアラートを表示するように構成されてもよい。ユーザインターフェース１１５０はまた、警告メッセージのコンテンツを１人以上のユーザに提供するように構成された、視覚、音声、触覚、または、無線出力（例えば、ＢＬＵＥＴＯＯＴＨ、周辺デバイスへのｗｉ−ｆｉメッセージ）のような他の形態でアラートを提供するように構成されてもよい。ユーザインターフェース１１５０は、警告メッセージのコンテンツをユーザに提供する手段であってもよい。ＵＥ１１００は、（ワイヤレスアンテナ１１２２と同じアンテナであってもよく、または、異なってもよい）衛星ポジショニングシステム（ＳＰＳ）アンテナ１１５８を介して（例えば、ＳＰＳ衛星から）ＳＰＳ信号１１５９を受信する、ＳＰＳ受信機１１５５を含んでいてもよい。ＳＰＳ受信機１１５５は、単一のグローバルナビゲーション衛星システム（ＧＮＳＳ）または複数のこのようなシステムと通信できる。ＧＮＳＳは、グローバルポジショニングシステム（ＧＰＳ）、ガリレオ、Ｇｌｏｎａｓｓ、北斗（コンパス）等を含むことができるが、これらに限定されない。ＳＰＳ衛星は、衛星、宇宙ビークル（ＳＶ）等とも呼ばれる。ＳＰＳ受信機１１５５は、ＳＰＳ信号１１５９を測定し、ＵＥ１１００のロケーションを決定するために、ＳＰＳ信号１１５９の測定値を使用してもよい。プロセッサ１１１１、メモリ１１４０、デジタル信号プロセッサ（ＤＳＰ）１１１２、および／または専用プロセッサ（図示せず）はまた、ＳＰＳ受信機１１５５とともに、ＳＰＳ信号１１５９を全体的または部分的に処理するために、および／または、ＵＥ１１００のロケーションを（近似的またはより正確に）計算するために、利用されてもよい。代替として、ＵＥ１１００は、代わりにＵＥロケーションを計算するロケーションサーバへのＳＰＳ測定値の転送をサポートしてもよい。ＳＰＳ信号１１５９または他のロケーション信号からの情報の記憶は、メモリ１１４０またはレジスタ（図示せず）を使用して実行される。１つのプロセッサ１１１１、１つのＤＳＰ１１１２、および、１つのメモリ１１４０のみが図１１に示されているが、これらのコンポーネントのすべて、ペア、またはいずれかのうちの１つより多くのものが、ＵＥ１１００によって使用されてもよい。ＵＥ１１００に関係付けられたプロセッサ１１１１およびＤＳＰ１１１２は、バス１１０１に接続される。
【００８８】
[0099]メモリ１１４０は、１つ以上の命令またはコードとして機能を記憶する、非一時的コンピュータ読取可能記憶媒体を含むことができる。メモリ１１４０を構成することができる媒体は、ＲＡＭ、ＲＯＭ、ＦＬＡＳＨ (登録商標)、ディスクドライブ等を含むが、これらに限定されない。一般的に、メモリ１１４０によって記憶される機能は、プロセッサ１１１１のような汎用プロセッサ、ＤＳＰ１１１２のような専用プロセッサ等によって実行される。したがって、メモリ１１４０は、プロセッサ１１１１および／またはＤＳＰ１１１２に、説明した機能を実行させるように構成されたソフトウェア（プログラミングコード、命令等）を記憶するプロセッサ読取可能メモリおよび／またはコンピュータ読取可能メモリである。代替的に、ＵＥ１１００の１つ以上の機能は、全体的または部分的にハードウェアにおいて実行されてもよい。
【００８９】
[0100]ＵＥ１１００は、ＵＥ１１００が利用可能な情報、および／または、ビュー内の他の通信エンティティに基づいて、さまざまな技術を使用して、関係付けられているシステム内のその現在ポジションを推定できる。例えば、ＵＥ１１００は、基地局（例えば、ｅＮＢ、ｇＮＢ、ｎｇ−ｅＮＢ）、１つ以上のワイヤレスローカルエリアネットワーク（ＷＬＡＮ）に関係付けられたアクセスポイント（ＡＰ）、Ｂｌｕｅｔｏｏｔｈ（登録商標）ワイヤレステクノロジーまたはＺＩＧＢＥＥ（登録商標）等のような短距離ワイヤレス通信テクノロジーを利用するパーソナルエリアネットワーク（ＰＡＮ）、グローバルナビゲーション衛星システム（ＧＮＳＳ）または他の衛星ポジショニングシステム（ＳＰＳ）衛星、から取得した情報、および／または、ロケーション管理機能（ＬＭＦ）、拡張サービス提供移動体ロケーションセンター（Ｅ−ＳＭＬＣ：enhanced serving mobile location center）またはセキュアユーザプレーンロケーション（ＳＵＰＬ：Secure User Plane Location）ロケーションプラットフォーム（ＳＬＰ）のようなマップサーバまたは他のサーバから取得したマップデータから取得した情報を使用して、そのポジションを推定できる。いくつかのケースでは、Ｅ−ＳＭＬＣ、ＳＬＰ、またはＬＭＦ等であってもよいロケーションサーバは、ＵＥ１１００が信号（例えば、ＷＬＡＮ  ＡＰ、セルラ基地局、ＧＮＳＳ衛星等からの信号）を補足し、これらの信号を使用してロケーション関連測定を行うことを可能にするまたは支援するために、支援データをＵＥ１１００に提供してもよい。その後、ＵＥ１１００は、ロケーション推定を計算するために、測定値をロケーションサーバに提供してもよく（これは、「ＵＥ支援型」ポジショニングとして知られているかもしれない）、あるいは、測定値に基づいて、および場合によっては、ロケーションサーバによって、または、セルラ基地局によって提供される他の支援データ（例えば、ＧＮＳＳ衛星のための軌道およびタイミングデータ、セルラ基地局信号のためのコンフィギュレーションパラメータ、ＷＬＡＮ、ＯＴＤＯＡ、および／または、ＥＣＩＤポジショニング等において使用するためのＷＬＡＮ  ＡＰおよび／またはセルラ基地局の正確なロケーション座標など）にも基づいて、それ自体がロケーション推定を計算してもよい（これは、「ＵＥベースの」ポジショニングとして知られているかもしれない）。
【００９０】
[0101]１つの実施形態では、ＵＥ１１００は、例えば、適切なレンズコンフィギュレーションを有する相補型金属酸化膜半導体（ＣＭＯＳ）画像センサのような、カメラ１１３０（例えば、前面および／または背面）を含んでいてもよい。電荷結合素子（ＣＣＤ）および裏面照射型ＣＭＯＳのような他のイメージングテクノロジーが使用されてもよい。カメラ１１３０は、ＵＥ１１００のポジショニングを支援するために、画像情報を取得し、提供するように構成されてもよい。１つの例では、１つ以上の外部画像処理サーバ（例えば、遠隔サーバ）は、画像認識を実行し、ロケーション推定プロセスを提供するために使用されてもよい。ＵＥ１１００は、他のセンサ１１３５を含んでいてもよく、これもまた、ＵＥ１１００についてのロケーションを計算するために使用されるか、またはその計算を支援するために使用されてもよい。他のセンサ１１３５は、慣性センサ（例えば、そのいずれもが、微小電気機械システム（ＭＥＭＳ）に基づいて、または他の何らかのテクノロジーに基づいて実現されてもよい、加速度計、ジャイロスコープ、磁力計、コンパス）、とともに、気圧計、温度計、湿度計、および他のセンサを含んでいてもよい。
【００９１】
[0102]他の例およびインプリメンテーションは、本開示および添付した特許請求の範囲の精神および範囲内にある。例えば、ソフトウェアの性質により、上述した機能は、プロセッサによって実行されるソフトウェア、ハードウェア、ファームウェア、ハードワイヤリング、またはこれらのうちの任意の組み合わせを使用して実現できる。機能を実現する特徴はまた、機能の一部分が異なる物理ロケーションにおいて実現されるように分散されることを含め、さまざまなポジションにおいて物理的に位置付けられてもよい。
【００９２】
[00103]また、ここで使用するように、「のうちの少なくとも１つ」により始まる、または、「のうちの１つ以上」より始まるアイテムのリスト中で使用するような「または」は、例えば、「Ａ、Ｂ、またはＣ、のうちの少なくとも１つ」のリスト、または、「Ａ、Ｂ、またはＣのうちの少なくとも１つ以上」のリスト、または、「Ａ、Ｂ、またはＣ、あるいは、これらの任意の組み合わせ」は、Ａ、またはＢ、またはＣ、またはＡＢ、またはＡＣ、またはＢＣ、またはＡＢＣ（すなわち、ＡおよびＢおよびＣ）、または１つより多くの特徴（例えば、ＡＡ、ＡＡＢ、ＡＢＢＣ、等）との組み合わせを意味するように、選言的リストを示す。
【００９３】
[00104]また、ここに使用されるように、そうでないと記載されない限り、機能または動作がアイテムまたは条件「に基づく」という記載は、機能または動作が記載されたアイテムまたは条件に基づくこと、記載されたアイテムまたは条件に加えて、１つ以上のアイテムおよび／または条件に基づいてもよいことを意味する。
【００９４】
[0105]さらに、エンティティ「に」、情報が送られるまたは送信されるという表示、あるいは、情報を送るまたは送信するステートメントは、通信の完了を必要としない。このような表示またはステートメントは、情報が送信エンティティから伝えられるが、情報の意図された受信者に到達しない状況を含む。意図された受信者は、情報を実際に受信していなくても、依然として受信エンティティ、例えば受信実行環境と呼ばれてもよい。さらに、意図された受信者「に」情報を送るまたは送信するように構成されたエンティティは、意図された受信者への情報の配信を完了するように構成される必要はない。例えば、エンティティは、意図された受信者の表示を有する情報を、意図された受信者の表示とともに情報を転送することができる別のエンティティに提供してもよい。
【００９５】
[0106]ワイヤレス通信システムは、通信がワイヤレスに、すなわち、ワイヤまたは他の物理的接続を通してよりもむしろ、大気空間を通して伝搬する電磁波および／または音波によって、伝えられるものである。ワイヤレス通信ネットワークは、すべての通信をワイヤレスに送信するのではなく、少なくともいくつかの通信がワイヤレスに送信されるように構成されてもよい。さらに、「ワイヤレス通信デバイス」という用語または同様の用語は、デバイスの機能性が通信のために排他的、または一様に主としていること、またはデバイスが移動体デバイスであることを必要としないが、デバイスがワイヤレス通信能力（一方向または２方向）を含む、例えば、ワイヤレス通信のための少なくとも１つの無線（各無線は送信機、受信機、またはトランシーバの一部である）を含むことを示す。
【００９６】
[0107]特定の要件にしたがって実質的なバリエーションがなされてもよい。
例えば、カスタマイズされたハードウェアもまた使用され、および／または、特定の要素が、ハードウェア、（アプレット等のようなポータブルソフトウェアを含む）ソフトウェア、また両方において実現されてもよい。さらに、ネットワーク入力／出力デバイスのような、他のコンピューティングデバイスへの接続を用いてもよい。
【００９７】
[0108]ここに使用されるように、「機械読取可能媒体」および「コンピュータ読取可能媒体」という用語は、機械を特定の様式で動作させるデータを提供することに関係する任意の媒体を指す。コンピュータシステム１１００を使用して、さまざまなコンピュータ読取可能媒体は、実行のためにプロセッサに命令／コードを提供することを伴い、および／または（例えば、信号として）このような命令／コードを記憶および／または搬送するために使用されてもよい。多くのインプリメンテーションでは、コンピュータ読取可能媒体は、物理的および／または有形の記憶媒体である。このような媒体は、不揮発性媒体、および揮発性媒体を含むがこれらに限定されない、多くの形態を取ってもよい。不揮発性媒体は、例えば、光および／または磁気ディスクを含む。揮発性媒体は、動的メモリを含むが、これに限定されない。
【００９８】
[0109]物理的および／または有形のコンピュータ読取可能媒体の一般的な形態は、例えば、フロッピー（登録商標）ディスク、フレキシブルディスク、ハードディスク、磁気テープ、または他の何らかの磁気媒体、ＣＤ−ＲＯＭ、他の何らかの光学媒体、穴のパターンを持つ他の何らかの物理媒体、ＲＡＭ、ＰＲＯＭ、ＥＰＲＯＭ、ＦＬＡＳＨ−ＥＰＲＯＭ、他の何らかのメモリチップまたはカートリッジ、下に記述する搬送波、あるいは、コンピュータが命令および／またはコードを読み取ることができる他の何らかの媒体の形態を含む。
【００９９】
[0110]さまざまな形態のコンピュータ読取可能媒体は、１つ以上の命令のうちの１つ以上のシーケンスを、実行のための１つ以上のプロセッサに搬送する際に伴われてもよい。単なる例として、命令は初めに、遠隔コンピュータの磁気ディスクおよび／または光ディスク上に搬送されてもよい。遠隔コンピュータは、命令をその動的メモリへとロードし、送信媒体を通して、コンピュータシステムによって受信および／または実行されることになる命令を、信号として送ってもよい。
【０１００】
[0111]上述した方法、システム、およびデバイスは、例である。さまざまなコンフィギュレーションは、適宜、さまざまな手順またはコンポーネントを省略、置換、または追加してもよい。例えば、代替的なコンフィギュレーションでは、方法は、説明したものとは異なる順序で実行され、さまざまなステップが、追加、省略、または組み合わせられてもよい。また、ある特定のコンフィギュレーションに関して説明した特徴を、さまざまな他のコンフィギュレーションにおいて組み合わせてもよい。コンフィギュレーションの異なる態様および要素を、類似する方法で組み合わせてもよい。また、テクノロジーは進化することから、要素の多くは例であり、本開示または特許請求の範囲の範囲を限定するものではない。
【０１０１】
[0112]（インプリメンテーションを含む）例示的なコンフィギュレーションの徹底的な理解を提供するために、説明において具体的な詳細が与えられる。しかしながら、コンフィギュレーションは、これらの具体的な詳細なしに実施されてもよい。例えば、周知の回路、プロセス、アルゴリズム、構造、および、技術は、コンフィギュレーションを曖昧にすることを避けるために、不必要な詳細なしで示されている。この説明は、例示的なコンフィギュレーションのみを提供し、特許請求の範囲の、範囲、適用可能性、または、コンフィギュレーションを限定しない。むしろ、コンフィギュレーションの前述の説明は、説明した技術を実現するための説明を提供する。本開示の精神および範囲から逸脱することなく、要素の機能およびアレンジメントにおいて、さまざまな変更を行ってもよい。
【０１０２】
[0113]また、コンフィギュレーションは、フローダイヤグラムまたはブロックダイヤグラムとして描かれたプロセスとして説明されてもよい。それぞれは、シーケンシャルなプロセスとして動作を説明するかもしれないが、いくつかの動作は、並行して、または、同時に実行することができる。加えて、動作の順序を再構成してもよい。プロセスは、図中には含まれない追加のステージまたは機能を有していてもよい。さらに、方法の例は、ハードウェア、ソフトウェア、ファームウェア、ミドルウェア、マイクロコード、ハードウェア記述言語、または、これらの何らかの組み合わせによって実現してもよい。ソフトウェア、ファームウェア、ミドルウェア、またはマイクロコードで実行されるとき、タスクを実行するためのプログラムコードまたはコードセグメントは、記憶媒体のような非一時的コンピュータ読取可能媒体中に記憶されていてもよい。プロセッサは、説明したタスクのうちの１つ以上を実行してもよい。
【０１０３】
[0114]互いに接続され、結合され（例えば、通信可能に結合され）、または通信するものとして図中に示し、および／または、ここで説明した機能的または他のコンポーネントは、動作可能に結合される。すなわち、これらの間の信号送信を可能にするために、これらは、直接的または間接的に、ワイヤードおよび／またはワイヤレスで接続されてもよい。
【０１０４】
[0115]いくつかの例示的なコンフィギュレーションを説明してきたが、本開示の精神から逸脱することなく、さまざまな修正、代替構成、および均等物が使用されてもよい。例えば、上記の要素は、より大きいシステムのコンポーネントであってもよく、他のルールを、本発明のアプリケーションよりも優先するか、またはそうでなければ、本発明のアプリケーションを修正してもよい。また、上記の要素が考慮される前に、間に、または後に、多数の動作に取り掛かってもよい。したがって、上記の説明は、特許請求の範囲の範囲を境界付けるものではない。
【０１０５】
[0116]さらに、１つより多くの発明が開示されてもよい。
【図１】
2021513778.tif 000003
【図２Ａ】
2021513778.tif 000004
【図２Ｂ】
2021513778.tif 000005
【図３】
2021513778.tif 000006
【図４】
2021513778.tif 000007
【図５】
2021513778.tif 000008
【図６】
2021513778.tif 000009
【図７】
2021513778.tif 000010
【図８】
2021513778.tif 000011
【図９】
2021513778.tif 000012
【図１０】
2021513778.tif 000013
【図１１】
2021513778.tif 000014
【国際調査報告】
2021513778.tif 000015
2021513778.tif 000016
2021513778.tif 000017